(57)【要約】  生体サンプルを検査するための分析デバイス及び方法を提案し、カートリッジは、分析デバイスに受け入れられ、カートリッジのバルブは、自動的に開かれる。【選択図】図６
2019529940.tif 000002
【特許請求の範囲】
【請求項１】
受け入れ可能カートリッジ（１００）を用いて特に生体サンプル（Ｐ）を検査するための分析デバイス（２００）であって、
前記分析デバイス（２００）は、
カートリッジ（１００）を受け入れる、位置決めする、及び／又は保持するための受け入れユニット（２３０）と、
カートリッジ（１００）を機械的、電気的、熱的、及び／又は流体的に接続するための接続ユニット（２３１）とを含み、
前記受け入れユニット（２３０）は、前記カートリッジ（１００）を該受け入れユニット（２３０）と前記接続ユニット（２３１）の間に締め付け方式で保持するために、及び／又は該カートリッジ（１００）を該接続ユニット（２３１）に接続するために、及び／又は該カートリッジ（１００）を該接続ユニット（２３１）上に位置決めするために該接続ユニット（２３１）に対して移動することができる、
ことを特徴とする分析デバイス（２００）。
【請求項２】
前記受け入れユニット（２３０）は、前記カートリッジ（１００）を直接に支持する又は締め付けるためのプリント回路基板（２２１）を含むことを特徴とする請求項１に記載の分析デバイス。
【請求項３】
前記プリント回路基板（２１９）は、前記カートリッジ（１００）の少なくとも本質的に１つの平坦又は主要な側面（１００Ａ、１００Ｂ）を覆うことを特徴とする請求項２に記載の分析デバイス。
【請求項４】
前記受け入れユニット（２３０）は、前記カートリッジ（１００）に電気的及び／又は熱的に接触するためのプリント回路基板（２１９）を含むことを特徴とする請求項１から請求項３のいずれか１項に記載の分析デバイス。
【請求項５】
前記受け入れユニット（２３０）は、前記接続ユニット（２３１）に対して空圧的に移動することができることを特徴とする請求項１から請求項４のいずれか１項に記載の分析デバイス。
【請求項６】
前記受け入れユニット（２３０）は、モータを用いて前記接続ユニット（２３１）に対して移動することができることを特徴とする請求項１から請求項５のいずれか１項に記載の分析デバイス。
【請求項７】
分析デバイス（２００）が、前記受け入れユニット（２３０）及び／又はアクチュエータユニット（２３２）を前記接続ユニット（２３１）に対して移動するための歯車機構（２３３Ｂ）を含むことを特徴とする請求項１から請求項６のいずれか１項に記載の分析デバイス。
【請求項８】
前記歯車機構（２３３Ｂ）は、トグルレバー機構を含む又はトグルレバー機構であることを特徴とする請求項７に記載の分析デバイス。
【請求項９】
好ましくは空圧ドライブ（２３３Ａ）が、方向（Ｂ１）への駆動移動を別の方向（Ｂ２）へのアクチュエータ移動に変換するために前記トグルレバー機構の継手（２３３Ｃ）上に作用するように設計され、該駆動移動の該方向（Ｂ１）は、該アクチュエータ移動の該方向（Ｂ２）に対して横断方向に延びることを特徴とする請求項８に記載の分析デバイス。
【請求項１０】
前記歯車機構（２３３Ｂ）は、空圧的に起動及び／又は駆動されることを特徴とする請求項７から請求項９のいずれか１項に記載の分析デバイス。
【請求項１１】
前記歯車機構（２３３Ｂ）は、減速歯車機構及び／又は可変減速比を有する歯車機構として設計されることを特徴とする請求項７から請求項１０のいずれか１項に記載の分析デバイス。
【請求項１２】
前記歯車機構（２３３Ｂ）は、前記減速比が前記接続ユニット（２３１）に向けた前記受け入れユニット（２３０）及び／又は前記アクチュエータユニット（２３２）の移動中に増大するように設計されることを特徴とする請求項１１に記載の分析デバイス。
【請求項１３】
前記歯車機構（２３３Ｂ）は、前記接続ユニット（２３１）に向けた前記受け入れユニット（２３０）及び／又は前記アクチュエータユニット（２３２）の移動中に該受け入れユニット（２３０）及び／又は該アクチュエータユニット（２３２）上に作用される力を増加させるように設計されることを特徴とする請求項７から請求項１２のいずれか１項に記載の分析デバイス。
【請求項１４】
分析デバイス（２００）が、前記受け入れユニット（２３０）を前記接続ユニット（２３１）に対して移動するためのアクチュエータユニット（２３２）を含むことを特徴とする請求項１から請求項１３のいずれか１項に記載の分析デバイス。
【請求項１５】
分析デバイス（２００）が、前記カートリッジ（１００）の１又は２以上のバルブ（１１５Ａ）を機械的に起動する又は強制開放するためのアクチュエータユニット（２３２）を含むことを特徴とする請求項１から請求項１４のいずれか１項に記載の分析デバイス。
【請求項１６】
前記アクチュエータユニット２３２及び前記受け入れユニット２３０は、第１の移動期間に一緒に移動することができ、かつ第２の移動期間に互いに対して（移動方向に）移動することができることを特徴とする請求項１５に記載の分析デバイス。
【請求項１７】
前記アクチュエータユニット（２３２）は、前記第１の移動期間に前記カートリッジ（１００）を前記接続ユニット（２３１）に向けて移動し、かつ前記第２の移動期間に１又は２以上のバルブ（１１５Ａ）を開くように設計されることを特徴とする請求項１６に記載の分析デバイス。
【請求項１８】
前記アクチュエータユニット（２３２）は、前記受け入れユニット（２３０）及び／又は接続ユニット（２３１）に向けてバネ力に反して移動することができることを特徴とする請求項１５から請求項１７のいずれか１項に記載の分析デバイス。
【請求項１９】
分析デバイス（２００）が、前記受け入れユニット（２３０）と前記アクチュエータユニット（２３２）とを移動可能に案内するための共通案内装置（２３４）を含むことを特徴とする請求項１４から請求項１８のいずれか１項に記載の分析デバイス。
【請求項２０】
分析デバイス（２００）が、前記受け入れユニット（２３０）と前記アクチュエータユニット（２３２）とを前記接続ユニット（２３１）に対して移動するための共通駆動装置（２３３）を含むことを特徴とする請求項１４から請求項１９のいずれか１項に記載の分析デバイス。
【請求項２１】
前記共通駆動装置（２３３）は、空圧作動式ドライブ（２３３Ａ）を含むことを特徴とする請求項２０に記載の分析デバイス。
【請求項２２】
前記受け入れユニット（２３０）は、前記接続ユニット（２３１）に向けてバネ力に反して移動することができることを特徴とする請求項１から請求項２１のいずれか１項に記載の分析デバイス。
【請求項２３】
前記受け入れユニット（２３０）を前記接続ユニット（２３１）に向けて移動することを可能にする前記バネ力は、前記アクチュエータユニット（２３２）を該受け入れユニット（２３０）に向けて移動することを可能にする該バネ力よりも小さいことを特徴とする請求項１８及び請求項２２に記載の分析デバイス。
【請求項２４】
前記共通駆動装置（２３３）は、前記アクチュエータユニット（２３２）上に作用し、これが、次に、前記接続ユニット（２３１）上に作用することを特徴とする請求項２０及び請求項２３に記載の分析デバイス。
【請求項２５】
前記受け入れユニット（２３０）は、温度制御装置（２０４Ａ、２０４Ｂ）を含み、前記接続ユニット（２３１）は、温度制御装置（２０４Ａ、２０４Ｃ）を含み、従って、該温度制御装置は、両側から前記カートリッジ１００に対して位置決めされる又はそれに当接することができることを特徴とする請求項１から請求項２４のいずれか１項に記載の分析デバイス。
【請求項２６】
１つの温度制御装置（２０４Ａ）が、前記カートリッジ１００に好ましくは減幅壁厚の領域（１０１Ｅ）で係合するために浮動的及び／又は弾力的に装着される及び／又は外向きに突出していることを特徴とする請求項２５に記載の分析デバイス。
【請求項２７】
分析デバイス（２００）又は前記受け入れユニット（２３０）は、垂直方向（Ｂ３）に及び／又は該受け入れユニット（２３０）が前記接続ユニット（２３１）に対して移動される方向（Ｂ２）に対して横断方向及び／又は垂直に前記カートリッジ（１００）を移動するための持ち上げ装置（２３８）を含むことを特徴とする請求項１から請求項２６のいずれか１項に記載の分析デバイス。
【請求項２８】
分析デバイス（２００）が、前記カートリッジ（１００）が受け入れられる及び／又は取り出されるように、空圧的に及び／又はモータを用いて特に直線移動（Ｂ４）で及び／又は該カートリッジ（１００）の受け入れ及び／又は取り出し方向（Ｂ３）に対して横断方向に開放することができるハウジング（２１２）を含むことを特徴とする請求項１から請求項２７のいずれか１項に記載の分析デバイス。
【請求項２９】
カートリッジ（１００）を用いて特に生体サンプル（Ｐ）を検査する方法であって、
前記カートリッジ（１００）は、検査を実施するために分析デバイス（２００）によって受け入れられ、かつ該分析デバイス（２００）に機械的、電気的、熱的、及び／又は流体的に結合され、
前記分析デバイス（２００）は、第１の段階又は移動で前記カートリッジ（１００）を機械的に位置決めし及び／又は締め付けて、次に、第２の段階又は移動で該カートリッジ（１００）の１又は２以上のバルブ（１１５Ａ）を機械的に開く、
ことを特徴とする方法。
【請求項３０】
前記第１の段階及び前記第２の段階は、共通駆動装置（２３３）によってモータ駆動されて実行されることを特徴とする請求項２９に記載の方法。
【請求項３１】
前記第１の段階及び前記第２の段階は、共通駆動装置（２３３）によって空圧的に実行されることを特徴とする請求項２９又は請求項３０に記載の方法。
【請求項３２】
前記第１及び第２の移動は、同じ駆動方向にあり、又は
前記第２の移動は、前記第１の移動の継続である、
ことを特徴とする請求項２９から請求項３１のいずれか１項に記載の方法。
【発明の詳細な説明】
【技術分野】
【０００１】
本発明は、請求項１の前文に記載の分析システム、又は請求項２９の前文に記載の方法に関する。
【背景技術】
【０００２】
好ましくは、本発明は、特に好ましくは例えば疾患及び／又は病原体の存在に関する分析及び診断のために、及び／又は血球数、抗体、ホルモン、又はステロイドなどを決定するために特にヒト又は動物からの好ましくは生体サンプルを分析及び検査することを論じるものである。従って、本発明は、特に生体分析法の分野にある。食品サンプル、環境サンプル、又は別のサンプルも、任意的に、特に環境分析法又は食品安全に関して及び／又は他の物質を検出するために検査することができる。
【０００３】
好ましくは、カートリッジを用いて、サンプルの少なくとも１つの検体（ターゲット検体）を決定、識別、又は検出することができる。特に、サンプルは、例えば、疾患及び／又は病原体を検出又は識別することができるように、少なくとも１つの検体を定性的又は定量的に決定するために検査することができる。
【０００４】
本発明の意味の範囲では、検体は、特に核酸配列、特にＤＮＡ配列及び／又はＲＮＡ配列、又は蛋白質、特に抗原及び／又は抗体である。特に、本発明を用いて核酸配列又は蛋白質をサンプル検体として決定、識別、又は検出することができる。特により好ましくは、本発明は、核酸配列を検出又は識別するための核酸アッセイ又は蛋白質を検出又は識別するための蛋白質アッセイを実施するためのシステム、デバイス、及び他の装置に関する。
【０００５】
本発明は、ポイントオブケアシステムとして公知であるもの、すなわち、特にモバイルシステム、デバイス、及び他の装置を特に論じ、かつサンプリングサイトで及び／又は中央実験室とは独立に又は離れた場所などでサンプルに対して検査を実施する方法を論じる。好ましくは、ポイントオブケアシステムは、自律的に又は電力を供給するための幹線網とは独立に作動させることができる。
【０００６】
ＵＳ  ５，０９６，６６９は、生体サンプル、特に血液サンプルを検査するためのポイントオブケアシステムを開示している。システムは、使い捨てカートリッジと分析デバイスを含む。サンプルを受け入れた状態で、カートリッジは、検査を実施するために分析デバイス内に挿入される。カートリッジは、マイクロ流体システムと電極を含むセンサ装置とを含み、この装置は、較正液を用いて較正され、その後にサンプルを検査するのに使用される。
【０００７】
更に、ＷＯ  ２００６／１２５７６７  Ａ１は、使い捨てカートリッジと使い捨てカートリッジを用いる全自動処理及び評価分子診断分析のための分析デバイスとを含む統合及び自動式ＤＮＡ又は蛋白質分析のためのポイントオブケアシステムを開示している。カートリッジは、サンプル、特に血液を受け入れるように設計され、特に、結合されたＰＣＲ増幅生成物又は核酸配列を酸化還元サイクル処理として公知のものにおいてターゲット検体として検出することができるように、細胞破壊と、ＰＣＲと、捕捉分子に結合されてラベル酵素が付与されたＰＣＲ増幅生成物の検出とを可能にする。
【０００８】
ＥＰ  １  ７１５  ３４８  Ａ１は、カートリッジを取り扱うようになった取り扱いユニットを開示している。取り扱いユニット、カートリッジを間に締め付けるための２つの締め付け要素を有する把持デバイスを含む。締め付け要素は、ステッパモータによってネジ切りロッドを通じて移動される。
【０００９】
ＥＰ  １  ８２９  ６１２  Ａ２は、デバイスを作動させるために検出計器に置くことができるマイクロ流体デバイスを開示している。マイクロ流体デバイスは、平坦で矩形の形状を有し、かつそれが検出計器に置かれた時に水平に向けられる。次に、検出計器に回転可能に取り付けられた蓋が閉じられ、アッセイが実施される。
【００１０】
ＵＳ  ２００５／０１２２９８８  Ａ１は、装置に流体接続することができるカートリッジを受け入れるための設置チャンバを有するクロマトグラフィー装置を開示している。装置は、カートリッジを締め付けるための締め付け機構を更に含む。締め付け機構は、カムに結合されたレバーによって起動される。ユーザがレバーを回転させると、カムは、カートリッジが締め付けられるようにプランジャをカートリッジに向けて移動する。
【００１１】
ＵＳ  ２０１３／０３１３１１６  Ａ１は、マイクロ流体チップのための流体的及び電気的インタフェースに関するものである。マイクロ流体チップは、インタフェース内に直接に挿入することはできず、むしろそれは、最初にクランプによってトレイ上に固定されなければならない。トレイは、トレイをインタフェースのレールの内外に誘導するために使用されるハンドルを有する。使用時に、マイクロ流体チップは水平に向けられる。
【００１２】
ＵＳ  ２０１５／０３５２５４５  Ａ１は、流体サンプルをカートリッジ内で分析するための装置を開示している。処理に向けて、カートリッジは、カートリッジの脚を受け入れるための位置合わせ孔を有するネストに置かれる。処理の前に、回転可能蓋が閉じられ、かつカートリッジの上でラッチされる。
【００１３】
ポイントオブケアシステムでは、使用される分析システムが単純で堅固な方式で構成されること、及び簡単で確実な検査シーケンスを達成することができることが重要である。
【発明の概要】
【発明が解決しようとする課題】
【００１４】
本発明によって対処する問題は、単純、堅固、及び／又は費用効果的な構成、及び／又は単純及び／又は確実なシーケンスが可能に又は容易にされるサンプルを検査するための分析デバイス及び方法を提供することである。
【課題を解決するための手段】
【００１５】
上述の問題は、請求項１に記載の分析デバイス、又は請求項２９に記載の方法によって解決される。有利な展開は、従属請求項の主題である。
【００１６】
本提案の分析デバイスは、好ましくは、カートリッジを受け入れる、位置決めする、及び／又は保持するための受け入れユニットと、カートリッジを機械的、電気的、熱的、及び／又は流体的に接続するための接続ユニットとを含む。
【００１７】
本発明の一態様により、受け入れユニットは、受け入れユニットと接続ユニットの間にカートリッジを締め付け方式で保持するために、カートリッジを接続ユニットに接続するために、及び／又はカートリッジを接続ユニット上に位置決めするために接続ユニットに対して移動することができる。これは、単純、堅固、及び／又は費用効果的な構成を提供する。単純及び／又は確実なシーケンスも可能にされる。
【００１８】
受け入れユニットは、特に空圧的に及び／又はモータを用いて接続ユニットに対して移動される。これは、簡単で費用効果的な実施を提供する。
【００１９】
特に好ましくは、受け入れユニットは、接続ユニットに対して空圧的に移動され、かつカートリッジ又は分析デバイス上のバルブ及び／又は他の装置も空圧的に起動される。これは、特に、圧縮機及び／又は圧力貯蔵手段のようなただ１つの共通加圧ガスサプライが加圧ガス、特に空気を供給するのに必要とされるので、特に単純、堅固、及び／又は費用効果的な構成を提供する。
【００２０】
分析デバイスは、好ましくは、カートリッジを受け入れる及び／又は放出する又は取り出すためにモータを用いて開くことができるハウジングを含む。特に好ましくは、これは、ここでもまた空圧的に行われる。これは、単純、確実、及び／又は費用効果的な構成を可能にする。サンプルが検査されている時の単純及び／又は確実なシーケンスも可能にされる。
【００２１】
分析デバイス又は分析デバイスの駆動装置は、好ましくは、受け入れユニット及び／又はアクチュエータユニットを接続ユニットに対して移動するための歯車機構又は変速機、特にトグルレバー機構を含む。これは、単純で堅固な構成を提供し、特に、カートリッジを締め付け方式で保持するために及び／又は空圧ドライブが使用される時でさえもバルブを開閉するために一層高い力を生成することが可能である。
【００２２】
特に好ましくは、分析デバイスは、受け入れユニットを接続ユニットに対して移動するための及び／又はカートリッジの１又は２以上のバルブを起動する又は強制開放するためのアクチュエータユニットを含む。これは、単純で堅固な構成を提供する。
【００２３】
独立に実施することもできる本発明の特に好ましい態様により、第１の段階では、カートリッジは、分析デバイス内に及び／又は分析デバイスにより、機械的に位置決めされ及び／又は締め付けられ、分析デバイスは、次に、第２の段階でカートリッジの１又は２以上のバルブを機械的に開放する。特に、この手順は、共通駆動装置を用いて及び／又は必ず順番に実施される。これは、非常に単純、堅固、及び／又は費用効果的な構成を可能にする。すなわち、非常に単純で確実なシーケンスも確実になる。
【００２４】
特に好ましくは、分析デバイスは、受け入れユニット及びアクチュエータユニットを移動可能及び／又は摺動可能に案内するための共通案内装置を含む。これは、次に、単純、堅固、及び／又は費用効果的な構成を提供する。
【００２５】
温度制御装置は、好ましくは、カートリッジ及び／又はカートリッジの１又は２以上のキャビティに両側から当接する及び／又はそれに対して位置決めすることができる。特に、受け入れユニットと接続ユニットの両方は、各々、カートリッジに当接する及び／又はそれに対して位置決めすることができる少なくとも１つの温度制御装置を含む。これは、両側からの最適熱接触を提供し、従って、カートリッジ、及び／又は検査されるサンプルなどのようなカートリッジに供給される流体が最適な方式で温度制御されることを可能にする。すなわち、単純な構成、非常に確実な方法シーケンス、及び従って確実なサンプル検査を有することが可能である。
【００２６】
分析デバイス又は受け入れユニットは、好ましくは、垂直方向に及び／又は受け入れユニットが接続ユニットに対して移動可能である方向に対して横断方向及び／又は垂直にカートリッジを移動するための持ち上げ装置を含む。その結果、カートリッジは、単純及び／又は自動方式で受け入れられる及び放出される。これは、確実なシーケンスに寄与する。
【００２７】
用語「分析デバイス」は、好ましくは、特に移動可能である及び／又は現場で使用することができ、サンプル又はその成分を化学的、生物学的、及び／又は物理的に検査及び／又は分析し、これがカートリッジ内で及び／又はそれを用いて行われるように設計された計器を意味するように理解される。分析デバイスは、カートリッジ内のサンプルの検査を制御する。検査を実施するために、カートリッジは、分析デバイスに接続され、かつ特にそこに受け入れることができる。
【００２８】
「カートリッジ」という用語は、サンプルの少なくとも１つの検体、特に蛋白質及び／又は核酸配列を検出、識別、又は決定することを好ましくは可能にするためにサンプルを受け入れる、貯留する、物理的、化学的、及び／又は生物学的に処理、調整、及び／又は測定するように設計された構造的な装置又はユニットを意味すると好ましくは理解される。
【００２９】
本発明の意味の範囲のカートリッジは、複数のチャネル、キャビティ、及び／又はこれらのチャネル及び／又はキャビティを通る流れを制御するためのバルブを有する流体システムを含む。
【００３０】
特に、本発明の意味の範囲では、カートリッジは、少なくとも実質的に平面、平坦、及び／又はカード状のものであるように設計され、特に（マイクロ）流体カードとして設計され、及び／又は好ましくは閉じることができる本体又は容器として設計され、及び／又はサンプルを含有する場合に本提案の分析デバイス内に挿入及び／又は差し込むことができる。
【００３１】
本発明の上記に言及した態様及び特徴、及び特許請求の範囲及び以下の説明から明らかになる本発明の態様及び特徴は、原理的に互いに独立に実施することができるが、同じくあらゆる組合せ又は順序で実施することもできる。
【００３２】
本発明の他の態様、利点、特徴、及び特性は、特許請求の範囲及び図面を参照する好ましい実施形態の以下の説明から明らかになるであろう。
【図面の簡単な説明】
【００３３】
【図１】本提案の分析デバイス及び分析デバイスに受け入れられたカートリッジの概略図である。
【図２】カートリッジの概略図である。
【図３】カートリッジの概略斜視前面図である。
【図４】カートリッジの概略斜視後面図である。
【図５】ハウジングが閉鎖された時の分析デバイスの概略斜視図である。
【図６】ハウジングが開放されてカートリッジが部分的に受け入れられた時の分析デバイスの概略断面図である。
【図７】カートリッジ全体が受け入れられてハウジングが閉鎖された時の分析デバイスの概略断面図である。
【図８】検査位置にあるカートリッジを示し、かつ起動停止バルブを示す分析デバイスの概略断面図である。
【図９】検査位置にあるカートリッジを示し、かつ起動バルブを示す分析デバイスの概略断面図である。
【図１０】分析デバイスの受け入れユニットの概略斜視図である。
【図１１】分析デバイスの接続ユニットの概略斜視図である。
【発明を実施するための形態】
【００３４】
これらの図では、同じか又は類似の部品及び構成要素に対して同じ参照記号を使用し、これらを繰り返し説明しない場合であっても対応する又は同等の特性及び利点が得られる。
【００３５】
図１は、特に生体サンプルＰを検査するための装置又はカートリッジ１００を含む本提案の分析デバイスの非常に概略的な図である。
【００３６】
図２は、サンプルＰを検査するための装置又はカートリッジ１００の好ましい実施形態の概略図である。装置又はカートリッジ１００は、特に手持ち式ユニットを形成し、以下ではこれを単にカートリッジ１００と呼ぶ。
【００３７】
「サンプル」という用語は、特にヒト又は動物から採取された検査されるサンプル材料を意味すると好ましくは理解される。特に、本発明の意味の範囲では、サンプルは、好ましくは、ヒト又は動物からの唾液、血液、尿、又は別の液体のような流体又はその成分である。本発明の意味の範囲では、サンプルは、必要に応じて前処理又は調製されたものとすることができ、又は例えばヒト又は動物などから直接入手したものとすることができる。特に環境分析法、食品安全性に関して、及び／又は他の物質、好ましくは天然物質であるが更に生物兵器剤又は化学兵器剤又は毒物などを検出するために、食品サンプル、環境サンプル、又は別のサンプルも同じく任意的に検査することができる。
【００３８】
本発明の意味の範囲でのサンプルは、好ましくは、１又は２以上の検体を好ましくは含有し、検体を識別又は検出し、特に定性的及び／又は定量的に決定することが可能である。特に好ましくは、本発明の意味の範囲では、サンプルは、検体としてターゲット核酸配列、特にターゲットＤＮＡ配列及び／又はターゲットＲＮＡ配列を有し、及び／又は検体としてターゲット蛋白質、特にターゲット抗原及び／又はターゲット抗体を有する。特に好ましくは、検体を定性的及び／又は定量的に決定することによってサンプルＰ内の少なくとも１つの疾患及び／又は病原体を検出又は識別することができる。
【００３９】
好ましくは、分析デバイス２００は、特にカートリッジ１００内又は上のサンプルＰの検査を制御する、及び／又は検査を評価する、及び／又は検査からの計測値を収集、処理、及び／又は格納するのに使用される。
【００４０】
分析デバイス２００、カートリッジ１００、及び／又はサンプルＰを検査する方法を用いて、好ましくは、サンプルＰの検体又は特に好ましくはサンプルＰの複数の検体を決定、識別、又は検出することができる。特に、これらの検体は、定性的だけではなく、これに代えて又はこれに加えて、特に好ましくは定量的にも検出、識別、及び／又は測定される。
【００４１】
従って、特に、サンプルＰは、例えば、疾患及び／又は病原体を検出又は識別すること、又は例えば診断に対して重要である他の値を決定することができるように少なくとも１つの検体を定性的及び／又は定量的に決定するために検査することができる。
【００４２】
カートリッジ１００は、好ましくは、少なくとも実質的に平面、平坦、板状、及び／又はカード状のものである。
【００４３】
カートリッジ１００は、特に少なくとも実質的に平面、平坦、板状、及び／又はカード状の本体又は支持体１０１を好ましくは含み、この本体又は支持体１０１は、特に可塑性材料、特に好ましくはポリプロピレンから製造及び／又は射出成形される。
【００４４】
図２に破線に示すように、カートリッジ１００は、本体１０１、及び／又はその中に少なくとも部分的に、特に前面上に形成されたキャビティ及び／又はチャネルを覆うための及び／又はバルブなどを形成するための少なくとも１つのフィルム又はカバー１０２を好ましくは含む。
【００４５】
カートリッジ１００及び／又はその本体１０１は、特にカバー１０２と共に、以下で流体システム１０３と呼ぶ流動システム１０３を好ましくは形成する及び／又は含む。
【００４６】
カートリッジ１００、本体１０１、及び／又は流体システム１０３は、図１に示すように、起動位置で及び／又は検査中に、特に分析デバイス２００内で好ましくは少なくとも実質的に垂直に向けられる。従って、特に、カートリッジ１００の面延長又は主平面Ｈは、起動位置で少なくとも実質的に垂直に延びる。
【００４７】
カートリッジ１００及び／又は流体システム１０３は、好ましくは、複数のキャビティ、特に、特に複数のチャネルによって好ましくは流体相互接続した少なくとも１つの受け入れキャビティ１０４、少なくとも１つの計量キャビティ１０５、少なくとも１つの中間キャビティ１０６、少なくとも１つの混合キャビティ１０７、少なくとも１つの貯留キャビティ１０８、少なくとも１つの反応キャビティ１０９、少なくとも１つの中間温度制御キャビティ１１０及び／又は少なくとも１つの回収キャビティ１１１、複数のキャビティを含む。
【００４８】
本発明の意味の範囲では、チャネルは、流体を主流動方向に案内するのに好ましくは細長形態のものであり、これらの形態は、横断方向に、特に主流動方向及び／又は長手方向広がりに対して特に垂直に好ましくは全ての側面で好ましくは閉じている。
【００４９】
特に、本体１０１は、カバー１０２によって両側で閉鎖されて本発明の意味の範囲のチャネルを形成する細長ノッチ、陥凹、又は凹部などを含む。
【００５０】
本発明の意味の範囲では、キャビティ又はチャンバは、好ましくは、カートリッジ１００又は本体１０１内の陥凹又は凹部などによって形成され、特に両側でカバー１０２によって閉鎖される又は覆われる。各キャビティによって封入された容積又は空間は、チャネルによって流体システム１０３に好ましくは流体連通される。
【００５１】
特に、本発明の意味の範囲では、キャビティは、流体の流入及び／又は流出のための少なくとも２つの開口部を含む。
【００５２】
本発明の意味の範囲では、キャビティは、チャネルよりも好ましくは少なくとも２倍、３倍、又は４倍だけ大きい直径及び／又は流れ断面を好ましくは有する。しかし、原理的に、キャビティも、一部の場合にチャネルと類似の方式で細長とすることができる。
【００５３】
カートリッジ１００及び／又は流体システム１０３は、少なくとも１つのポンプ装置１１２及び／又は少なくとも１つのセンサ配置又はセンサ装置１１３を更に好ましくは含む。
【００５４】
図示の例では、カートリッジ１００又は流体システム１０３は、２つの計量キャビティ１０５Ａ及び１０５Ｂ、複数の中間キャビティ１０６Ａから１０６Ｇ、複数の貯留キャビティ１０８Ａから１０８Ｅ、及び／又は好ましくは互いに別々に装填することができる複数の反応キャビティ１０９、特に第１の反応キャビティ１０９Ａ、第２の反応キャビティ１０９ＢＡ、及び任意的な第３の反応キャビティ１０９Ｃを好ましくは含む。
【００５５】
計量キャビティ１０５は、サンプルＰを受け入れ、一時的に貯留し、計量し、及び／又は計量方式でこのサンプルを渡すように好ましくは設計される。特に好ましくは、計量キャビティ１０５は、（隣接）チャネルのものよりも大きい直径を有する。
【００５６】
カートリッジ１００の初期状態では又は工場にある時に、貯留キャビティ１０８は、特に試薬、溶剤、又は洗浄緩衝液のような液体で少なくとも部分的に好ましくは充填される。
【００５７】
回収キャビティ１１１は、サンプル残留物などのような特に検査に使用されたより大量の流体を受け入れるように好ましくは設計される。好ましくは、初期状態では又は工場にある時に、回収キャビティ１１１は空であるか、又はガス、特に空気が充填された状態にある。回収キャビティ１１１の容積は、１又は複数の貯留キャビティ１０８又はその液体内容物の（累積）容積及び／又は受け入れキャビティ１０４又は受け入れられているサンプルＰの容積に対応するか又は好ましくはそれを超える。
【００５８】
１又は複数の反応キャビティ１０９は、アッセイが実施されている時に反応キャビティ１０９に置かれた物質が反応を起こすことを可能にするように好ましくは設計される。
【００５９】
１又は複数の反応キャビティ１０９は、特に、増幅反応、特にＰＣＲ、又はいくつかの好ましくは異なる増幅反応、特にＰＣＲを実施するのに使用される。いくつかの好ましくは異なるＰＣＲ、すなわち、異なるプライマー組合せ又はプライマー対を有するＰＣＲを並列に、及び／又は独立に、及び／又は異なる反応キャビティ１０９内で実施することが好適である。
【００６０】
「ＰＣＲ」は、ポリメラーゼ連鎖反応の略であり、特に、後に増幅生成物又は核酸生成物を検査及び／又は検出するために、サンプルＰのＲＮＡ又はＲＮＡ配列又はＤＮＡ又はＤＮＡ配列の特に一部分をポリメラーゼ又は酵素を用いて好ましくは何回かのサイクルで増幅する際に使用する分子生物学的方法である。ＲＮＡを検査及び／又は増幅することが意図される場合に、ＰＣＲが実施される前に、ＲＮＡから始めて特に逆転写酵素を用いてｃＤＮＡが生成される。ｃＤＮＡは、その後のＰＣＲに対するテンプレートとして使用される。
【００６１】
１又は２以上の反応キャビティ１０９内で生成されたサンプルＰの増幅生成物、ターゲット核酸配列、及び／又は他の部分は、接続したセンサ配置又はセンサ装置１１３に特にポンプ装置１１２を用いて誘導する又は給送することができる。
【００６２】
センサ配置又はセンサ装置１１３は、特に、サンプルＰの１又は複数の検体、この場合に特に好ましくは検体としてターゲット核酸配列及び／又はターゲット蛋白質を検出するのに、特に好ましくは定性的及び／又は定量的に決定するのに使用される。しかし、これに代えて又はこれに加えて、他の値を収集及び／又は決定することができる。
【００６３】
センサ装置１１３は、特に複数の検体を決定又は検出することができるようにセンサアレイ１１３Ａを好ましくは含む。
【００６４】
特に、センサ装置１１３又はセンサアレイ１１３Ａは、検体及び／又は増幅生成物を結合し、後に検出処理においてこれらの検体及び／又は増幅生成物を検出、識別、又は決定するために捕捉分子（図示せず）を含む。
【００６５】
好ましくは、電気化学検出が実施される。
【００６６】
図２に示すように、カートリッジ１００、本体１０１、及び／又は流体システム１０３は、複数のチャネル１１４及び／又はバルブ１１５を好ましくは含む。
【００６７】
チャネル１１４及び／又はバルブ１１５を使用することにより、キャビティ１０４から１１１、ポンプ装置１１２、及び／又はセンサ配置又はセンサ装置１１３を特にこれらが分析デバイス２００によって制御されるように必要に応じて及び／又は任意的又は選択的に互いに一時的及び／又は永久的に流体相互接続する及び／又は流体分離することができる。
【００６８】
キャビティ１０４から１１１は、好ましくは、各々が複数のチャネル１１４に流体連通又は流体相互接続される。特に好ましくは、流体がそれぞれのキャビティを必要に応じて充満する、流れ通る、及び／又はそれぞれのキャビティから排出されることを可能にするために、各キャビティは、少なくとも２つの関連チャネル１１４によってリンク又は接続される。
【００６９】
流体搬送又は流体システム１０３は、好ましくは、毛管力に基づかず、又はこれらの力にだけに基づくわけではなく、特に、重力、及び／又はポンプ又はポンプ装置１１２が特に好ましくは発生させるポンプ力、圧縮力、及び／又は吸引力の効果に基本的に基づいている。この場合に、流体の流動又は流体の搬送及び計量は、バルブ１１５を相応に開閉すること、及び／又は特に分析デバイス２００のポンプデバイス２０２を用いてポンプ又はポンプ装置１１２を相応に作動させることによって制御される。
【００７０】
好ましくは、キャビティ１０４から１１０の各々は、起動位置でその上部に入口を有し、下部に出口を有する。従って、必要に応じて、それぞれのキャビティからの液体のみを出口を通して取り出すことができる。
【００７１】
起動位置では、それぞれのキャビティからの液体は、各々下部にある出口を通して好ましくは取り出され、特に吸い出され、特にその上部の入口を通してそれぞれのキャビティ内にガス又は空気が流れ込む及び／又はこれらをポンプ注入することが好ましくは可能である。特に、液体を給送する時のキャビティ内の関連の真空をこうして防止するか又は少なくとも最小にすることができる。
【００７２】
特に、キャビティ、特に好ましくは１又は複数の貯留キャビティ１０８、混合キャビティ１０７、及び／又は受け入れキャビティ１０４の各々は、通常起動位置でこれらのキャビティが液体で充填される時にガス泡又は空気泡が起動位置で上向きの上昇を潜在的に形成することができ、それによって液体が気泡を持たずに出口の上方に集まるように寸法決めされる及び／又は向けられる。しかし、この場合に、他のソリューションも可能である。
【００７３】
受け入れキャビティ１０４は、サンプルＰを導入するための接続部１０４Ａを好ましくは含む。特に、サンプルＰは、例えば、ピペット、シリンジ、又は他の計器を用いて接続部１０４Ａを通して受け入れキャビティ１０４及び／又はカートリッジ１００内に導入することができる。
【００７４】
受け入れキャビティ１０４は、入口１０４Ｂと出口１０４Ｃと任意的な中間接続部１０４Ｄとを好ましくは含み、サンプルＰ又はその一部分を出口１０４Ｃ及び／又は任意的な中間接続部１０４Ｄを通して取り出す及び／又は更に給送することが好ましくは可能である。上述したように、ガス、空気、又は別の流体が入口１０４Ｂを通って流入する及び／又はこれらの流体を入口１０４Ｂを通してポンプ注入することができる。
【００７５】
好ましくは、任意的に及び／又は実施されるアッセイに基づいて、サンプルＰ又はその一部分は、受け入れキャビティ１０４の出口１０４Ｃ又は任意的な中間接続部１０４Ｄを通して取り出すことができる。特に、血漿又は血清のようなサンプルＰの上澄みは、特に蛋白質アッセイを実施するために任意的な中間接続部１０４Ｄを通じて流し出す又は取り出すことができる。
【００７６】
好ましくは、少なくとも１つのバルブ１１５が、各キャビティ、ポンプ装置１１２、及び／又はセンサ装置１１３に割り当てられる、及び／又はそれぞれの入口の上流及び／又はそれぞれの出口の下流に配置される。
【００７７】
好ましくは、流体が例えば順番に又は連続して流れ抜けるキャビティ１０４から１１１又はキャビティ１０４から１１１までの配置を選択的に開放することができ、割り当てられたバルブ１１５を起動することによって流体が選択的に流れ抜けることができ、及び／又はこれらのキャビティを流体システム１０３及び／又は他のキャビティに流体接続することができる。
【００７８】
特に、バルブ１１５は、本体１０１とフィルム又はカバー１０２とにより、これらを用いて、及び／又は例えば追加の層又は陥凹などによるか又はこれらを有する別の方式で形成される。
【００７９】
特に好ましくは、貯留キャビティ１０８及び／又は流体システム１０３内の液体又は液体試薬を開いた受け入れキャビティ１０４から安定貯留方式で特に好ましくは密封するために、最初に又は貯留されている時に好ましくはきつく閉じられた１又は２以上のバルブ１１５Ａが設けられる。
【００８０】
好ましくは、初期閉止バルブ１１５Ａは、各貯留キャビティ１０８の上流及び下流に配置される。これらのバルブは、好ましくは、カートリッジ１００が実際に使用されている時にのみ、カートリッジ１００を分析デバイス２００内に挿入する最中又はその後にのみ、及び／又はアッセイを実施するためにのみ特に自動的に開かれる。
【００８１】
この場合に、特に入口１０４Ｂ及び出口１０４Ｃに加えて中間接続部１０４Ｄが設けられる場合に、複数のバルブ１１５Ａ、特に３つのバルブが受け入れキャビティ１０４に好ましくは割り当てられる。用途に基づいて、入口１０４Ｂ上のバルブ１１５Ａに加えて、好ましくは、出口１０４Ｃ又は中間接続部１０４Ｄのいずれかにあるバルブ１１５Ａのみが更に開かれる。
【００８２】
受け入れキャビティ１０４に割り当てられたバルブ１１５Ａは、好ましくは、サンプルＰが導入されるまで、及び／又は受け入れキャビティ１０４又はその接続部１０４Ａが閉められるまで流体システム１０３及び／又はカートリッジ１００を特に液密方式又は気密方式で密封する。
【００８３】
バルブ１１５Ａ（初期閉止状態にある）の代わりとして又はこれに加えて、安定貯留方式で閉められておらず、最初に又は非作動状態で、初期状態で、又はカートリッジ１００が分析デバイス２００内に挿入されていない時に開いている、及び／又は作動によって閉じることができる１又は２以上のバルブ１１５Ｂが好ましくは設けられる。これらのバルブ１１５Ｂは、特に、検査中に流体の流れを制御するのに使用される。
【００８４】
カートリッジ１００は、マイクロ流体カードとして好ましくは設計され、及び／又は流体システム１０３がマイクロ流体カードとして好ましくは設計される。本発明では、「マイクロ流体」という用語は、個々のキャビティ、キャビティのうちの一部、又はキャビティ１０４から１１１及び／又はチャネル１１４の全てのもののそれぞれの容積が、別々に又は累積的に５ｍｌ又は２ｍｌよりも小さく、特に好ましくは１ｍｌ又は８００μｌよりも小さく、特に６００μｌ又は３００μｌよりも小さく、特により好ましくは２００μｌ又は１００μｌよりも小さいことを意味すると好ましくは理解される。
【００８５】
特に好ましくは、５ｍｌ，２ｍｌ、又は１ｍｌの最大容積を有するサンプルＰをカートリッジ１００及び／又は流体システム１０３、特に受け入れキャビティ１０４内に導入することができる。
【００８６】
図２に記載の概略図に参照記号Ｆ１からＦ５及びＳ１からＳ１０に示すように、サンプルＰを検査するために、検査前に液体又は液体試薬Ｆとして液体形態で、及び／又は乾燥試薬Ｓの形態で好ましくは導入又は供給される試薬及び液体が必要である。
【００８７】
更に、検査、検出処理、及び／又は他の目的に対して、例えば、検出分子Ｄ及び／又は酸化還元系を形成するために、特に洗浄緩衝液、乾燥試薬Ｓに対する溶剤、及び／又は基質の形態にある他の液体Ｆも好ましくは必要とされ、特にカートリッジ１００内で供給され、すなわち、同じく使用前、特に供給前に導入される。以下のいくつかの論点では、液体試薬と他の液体との間で区別せず、従って、それぞれの説明は、相応に互いにも当て嵌めることができる。
【００８８】
カートリッジ１００は、好ましくは、サンプルＰを前処理する、及び／又は検査又はアッセイを実施する、特に１又は２以上の増幅反応又はＰＣＲを実施するのに必要とされる全ての試薬及び液体を含有し、従って、特に好ましくは、任意的に前処理されたサンプルＰを受け入れることしか必要ではない。
【００８９】
カートリッジ１００又は流体システム１０３は、必要に応じてサンプルＰ又はその成分を反応キャビティ１０９を通り過ぎて、及び／又は任意的な中間温度制御キャビティ１１０を迂回することによってセンサ装置１１３に直接誘導するか又は給送することができるように任意的に使用することができるバイパス１１４Ａを好ましくは含む。
【００９０】
カートリッジ１００、流体システム１０３、及び／又はチャネル１１４は、液面及び／又は流体流動を検出するためのセンサ部分１１６又は他の装置を好ましくは含む。
【００９１】
図２に記載の様々な構成要素、例えば、チャネル１１４、バルブ１１５、特に初期閉止状態にあるバルブ１１５Ａ、初期開放状態にあるバルブ１１５Ｂ、及びセンサ部分１１６は、明瞭化の理由から一部の場合にしかラベルラベル付けしていないが、図２でもこれらの構成要素の各々に対して同じ記号を用いていることに注意されたい。
【００９２】
回収キャビティ１１１は、余剰又は使用された試薬、液体、及びサンプル容積を受け入れるのに、及び／又は個々のキャビティ及び／又はチャネルを空にするためのガス又は空気を供給するのに好ましくは使用される。初期状態では、回収キャビティ１１１は、好ましくはガス、特に空気だけで充填される。
【００９３】
特に、回収キャビティ１１１は、個々のキャビティ及びチャネル１１４又は他の装置から試薬及び液体を除去するために、及び／又はこれらの試薬及び液体をガス又は空気で置換するためにこれらのキャビティ、チャネル、又は他の装置に任意的に流体接続することができる。回収キャビティ１１１には、適切な（大きい）寸法が好ましくは与えられる。
【００９４】
図３は、カートリッジ１００の斜視前面図であり、図４は、カートリッジ１００の斜視後面図、すなわち、その裏面１００Ｂの図である。
【００９５】
液体試薬Ｆの特に良好な貯留安定性を達成するために、カバー１０２は、無機材料、特に金属、特に好ましくはアルミニウムから製造され、又は好ましくは少なくとも１つの貯留キャビティ１０８の領域内でこの材料によって補助的に覆われる。この補助的に覆う段階は、図３に示すように、対応する材料から構成されるか又は製造された１つの材料又は膜シートを補助カバー１０２Ａとしてそれぞれの貯留キャビティ１０８の領域内に付加又は接着結合することによって好ましくは達成される。
【００９６】
図４に示すように、センサ装置１１３は、カートリッジ１００及び／又はセンサ装置１１３を電気接続するための電気接点１１３Ｅを好ましくは含む。
【００９７】
接点１１３Ｅは、特に、中心領域１１３Ｈの平面、裏面上、及び／又は周囲に配置される。
【００９８】
カートリッジ１００及び／又は本体１０１は、図４に示すように、特に好ましくは、裏面１００Ｂ上に補強された又は鉤状の縁部１２１、及び／又は補強リブ１２２を好ましくは含む。
【００９９】
カートリッジ１００又は本体１０１は、カートリッジ１００を手によって適確に把持することができるように把持部分１２３を好ましくは含む。把持部分１２３は、特に、長辺上に配置及び／又は形成されるか又は一体的にモールド成形される。
【０１００】
縁部１２１及び／又は補強リブ１２２は、特に、面延長、板平面、平面、又は裏面１００Ｂに対して横方向にカートリッジ１００及び／又は本体１０１に対して補強を適用するのに使用される。この補強は、カートリッジ１００を分析デバイス２００内に可能な限り明確な方式で装着又は締め付けることを可能にするのに特に有利である。高い剛性は、例えば、センサ配置又はセンサ装置を簡単又はより明確な方式で接触させること、及び／又はポンプ装置１１２に対する効果を改善することを可能にする。
【０１０１】
カートリッジ１００及び／又は本体１０１は、１又は複数の反応キャビティ１０９及び／又はその中にある流体が関連の反応温度制御装置２０４Ａに有効な又は改善された方式で熱結合されることを可能に又は確実にするために、１又は複数の反応キャビティ１０９の領域内に小さい壁厚の領域、弱い部分、又は凹部１０１Ｅを好ましくは有する。
【０１０２】
図４に示すように、カートリッジ１００又は本体１０１は、サンプルＰが検査されている間にカートリッジ１００を特に分析デバイス２００内に定められた方式で装着及び／又は配置するために少なくとも１つの位置決め部分１２６、図示の例では特に２つの位置決め部分１２６を好ましくは含む。
【０１０３】
位置決め部分１２６は、特に、本体１０１と特に一体的にモールド成形されるか又は一体で形成される。
【０１０４】
位置決め部分１２６は、カートリッジ１００又は本体１０１の平坦側面、この場合は裏面１００Ｂ又は板平面から好ましくは突出する。
【０１０５】
位置決め部分１２６は、好ましくは内側及び／又は外側で特に円筒形又は中空円筒形、及び／又は円錐形のものである。
【０１０６】
位置決め部分１２６の外側は、自由端に向けて好ましくは先細であるか又は円錐形のものである。これは、カートリッジ１００の簡単な製造及び／又は分析デバイス２００内のカートリッジ１００の簡単なセンタリングに寄与する。
【０１０７】
位置決め部分１２６の内側は、好ましくは円錐形のものであるか又は自由端に向けて拡幅する。これは、カートリッジ１００の簡単な製造及び／又は分析デバイス２００内のカートリッジ１００の簡単なセンタリングに寄与する。
【０１０８】
２つの位置決め部分１２６は、カートリッジ１００の辺と平行な線、特に、カートリッジ１００の長辺に対して横方向の中心線内に好ましくは配置される。
【０１０９】
特に、図４に記載の図では、一方の位置決め部分１２６は、カートリッジ１００の下側の長辺の領域に配置されている。他方の位置決め部分１２６は、特に、任意的な補強リブ１２２の周りに配置されている。
【０１１０】
カートリッジ１００又は本体１０１は、流体接続部及び／又は空圧接続部１２９を好ましくは含む。図示の例では、好ましくは、複数の接続部又は２つの接続部１２９が設けられる。
【０１１１】
接続部１２９又は各接続部１２９は、特に、関連の操作装置に流体供給又は空圧供給するために、又はこの操作装置を起動するために使用される。
【０１１２】
図示の例では、左手側の接続部１２９は、特にポンプ装置１１２に割り当てられ、それによって形成される蠕動ポンプを空圧的にリセットするのに好ましくは使用される。
【０１１３】
図示の例では、右手側の接続部１２９は、センサ装置１１３に好ましくは割り当てられ、特に検出中に必要に応じてセンサアレイ１１３Ａの上方のセンサ区画を小さくするために、特にセンサカバー（図示せず）を空圧起動するために使用される。
【０１１４】
各接続部１２９は、本体１０１内の対応する開口部によって好ましくは形成される。
【０１１５】
各接続部１２９には、特に、適切な層又は膜などによって形成されたカード側シール１２９Ｃが好ましくは割り当てられる。しかし、他の技術的ソリューションも可能である。
【０１１６】
受け入れキャビティ１０４の接続部１０４Ａは、サンプルＰが受け入れられた後に閉じることができる。カートリッジ１００は、この目的のために閉鎖要素１３０を好ましくは含む。
【０１１７】
特に、接続部１０４Ａは、閉鎖要素１３０によって液密方式で、かつ特に好ましくは気密方式でも閉じることができる。それによって特に受け入れキャビティ１０４が含まれる閉流体回路を形成することができる。従って、特に、入口１０４Ｂ、出口１０４Ｃ、及び／又は中間接続部１０４Ｄにある割り当てられたバルブ１１５Ａが開かれると、受け入れキャビティ１０４は、カートリッジ１００の流体システム１０３の一部を形成し、この流体システムは、閉鎖要素１３０によって好ましくは閉鎖される又は閉鎖することができる。
【０１１８】
サンプルＰが受け入れキャビティ１０４内に導入され、接続部１０４Ａが閉鎖されると、サンプルＰを検査するために、図１に示すようにカートリッジ１００を本提案の分析デバイス２００内に挿入及び／又は受け入れることができる。
【０１１９】
分析デバイス２００は、カートリッジ１００を装着及び／又は受け入れるためのマウント又は容器２０１を好ましくは含む。
【０１２０】
好ましくは、カートリッジ１００及び／又は流体システム１０３は、分析デバイス２００から流体的、特に液圧的に分離又は隔離される。特に、カートリッジ１００は、サンプルＰ、試薬、及び他の液体に対して好ましくは独立した、特に閉鎖又は密封された流体システム又は液圧システム１０３を形成する。こうして分析デバイス２００は、サンプルＰ、他の流体、及び／又は試薬と直接接触せず、特に、最初に消毒及び／又は洗浄することなく別の検査に向けて再使用することができる。
【０１２１】
しかし、分析デバイス２００は、カートリッジ１００に機械的、電気的、熱的、流体的、及び／又は空圧的に接続又は結合されることが提供される。
【０１２２】
特に、分析デバイス２００は、特にポンプ装置１１２及び／又はバルブ１１５を起動するための機械的効果を有し、及び／又は特に１又は複数の反応キャビティ１０９及び／又は中間温度制御キャビティ１１０を温度制御するための熱効果を有するように設計される。
【０１２３】
更に、分析デバイス２００は、特に個々の装置を起動するためにカートリッジ１００に好ましくは空圧接続することができ、及び／又は特に例えばセンサ装置１１３及び／又はセンサ部分１１６からの計測値を収集及び／又は送信するためにカートリッジ１００に電気接続することができる。
【０１２４】
分析デバイス２００は、特に、ポンプ装置１１２を機械的に起動するように設計されたポンプドライブ２０２を好ましくは含む。
【０１２５】
分析デバイス２００は、カートリッジ１００、及び／又はセンサ配置又はセンサ装置１１３を特に電気的及び／又は熱的に接続するための接続装置２０３を好ましくは含む。
【０１２６】
図１に示すように、接続装置２０３は、複数の電気接触要素２０３Ａを好ましくは含み、カートリッジ１００、特にセンサ配置又はセンサ装置１１３は、これらの接触要素２０３Ａによって分析デバイス２００に好ましくは電気接続されるか又は電気接続可能である。
【０１２７】
分析デバイス２００は、カートリッジ１００を温度制御するためのものである及び／又は特に加熱及び／又は冷却のためのカートリッジ１００に対する熱効果を有する１又は２以上の温度制御装置２０４を好ましくは含み、温度制御装置２０４は（各々）、加熱抵抗器又はペルチェ素子を好ましくは含むか又はこれらによって形成される。
【０１２８】
好ましくは、個々の温度制御装置２０４、これらの装置のうちの一部、又はこれらの装置の全ては、カートリッジ１００、本体１０１、カバー１０２、センサ配置、センサ装置１１３、及び／又は個々のキャビティに当接するように位置決めすることができ、これらに熱結合することができ、これらの中に組み込むことができ、及び／又は分析デバイス２００が特に電気的に作動させる又は制御することができる。図示の例では、特に温度制御装置２０４Ａ、２０４Ｂ、及び／又は２０４Ｃが設けられる。
【０１２９】
分析デバイス２００は、バルブ１１５を起動するための１又は２以上のアクチュエータ２０５を好ましくは含む。特に好ましくは、様々な（タイプ又は群の）バルブ１１５Ａ及び１１５Ｂの各々をそれぞれ起動するためにこれらのバルブに割り当てられた様々な（タイプ又は群の）アクチュエータ２０５Ａ及び２０５Ｂが設けられる。
【０１３０】
分析デバイス２００は、１又は２以上のセンサ２０６を好ましくは含む。特に、流体センサ２０６Ａがセンサ部分１１６に割り当てられ、及び／又は流体システム１０３内で液体前面及び／又は流体流れを検出するように設計される又は意図される。
【０１３１】
特に好ましくは、流体センサ２０６Ａは、チャネル及び／又はキャビティ内、特に、流体システム１０３の特に平面チャネル部分及び／又は拡幅チャネル部分によって形成されたそれぞれ割り当てられたセンサ部分１１６内の流体の液体前面、流体流れ、及び／又は存在、速度、質量流量／体積流量、温度、及び／又は別の値を特に無接触方式で、例えば、光学的及び／又は容量的に測定又は検出するように設計される。
【０１３２】
これに代えて又はこれに加えて、分析デバイス２００は、周囲温度、内部温度、雰囲気湿度、位置、及び／又は位置合わせを例えばＧＰＳセンサ、及び／又は分析デバイス２００及び／又はカートリッジ１００の向き及び／又は傾きを用いて検出するための１又は２以上の（他又は追加の）センサ２０６Ｂを好ましくは含む。
【０１３３】
分析デバイス２００は、特に、検査又はアッセイのシーケンスを制御するために、及び／又は特にセンサ装置１１３、検査結果、及び／又は他のデータ又は値から計測値を収集、評価、及び／又は出力又は供給するための内部クロック又は時間基準を含む制御装置２０７を好ましくは含む。
【０１３４】
制御装置２０７は、特に、望ましい検査、及び／又はセンサ配置又はセンサ装置１１３及び／又はセンサ２０６からの計測値を考慮して又はこれらに依存してポンプドライブ２０２、温度制御装置２０４、及び／又はアクチュエータ２０５を好ましくは制御又はフィードバック制御する。
【０１３５】
任意的に、分析デバイス２００は、キーボード又はタッチ画面などのような入力装置２０８、及び／又は画面のような表示装置２０９を含む。
【０１３６】
分析デバイス２００は、例えば、計測データ又は検査結果を制御、通信、及び／又は出力するために、及び／又はプリンタ又は外部電源などのような他のデバイスにリンクするための少なくとも１つのインタフェース２１０を好ましくは含む。このインタフェースは、特に有線又は無線のインタフェース２１０とすることができる。
【０１３７】
分析デバイス２００は、電力を供給するための電源２１１、好ましくは、特に組み込まれた及び／又は外部接続した又は外部接続可能なバッテリ又は蓄電池を好ましくは含む。
【０１３８】
好ましくは、組み込み蓄電池が電源２１１として設けられ、接続部２１１Ａを通して外部充電デバイス（図示せず）によって（再）充電される、及び／又は交換可能である。
【０１３９】
分析デバイス２００は、好ましくは携帯可能又は移動可能なものである。特に好ましくは、分析デバイス２００は、２５ｋｇ又は２０ｋｇよりも軽量であり、特に好ましくは、１５ｋｇ又は１０ｋｇよりも軽量であり、特に９ｋｇ又は６ｋｇよりも軽量である。
【０１４０】
分析デバイス２００は、全ての構成要素及び／又は装置の一部又は全てが好ましくは組み込まれた及び／又は内部空間２１２Ａに配置されたハウジング２１２を好ましくは含む。
【０１４１】
特に好ましくは、特に閉じることができるスロットなどのような開口部２１３を通してカートリッジ１００をハウジング２１２内に挿入又は摺動することができ、及び／又は分析デバイス２００が受け入れることができる。
【０１４２】
上述したように、分析デバイス２００は、カートリッジ１００、特にセンサ配置又はセンサ装置１１３、及び／又はポンプ装置１１２に１又は２以上の接続部１２９を好ましくは用いて流体的及び／又は空圧的に好ましくは接続される又は接続することができる。
【０１４３】
特に好ましくは、分析デバイス２００は、カートリッジ１００、特にセンサ配置及び／又はポンプ装置１１２に作動媒体、特にガス又は空気を供給するように設計される。
【０１４４】
好ましくは、作動媒体は、分析デバイス２００内で又はそれを用いて圧縮及び／又は加圧することができる。
【０１４５】
分析デバイス２００は、加圧作動媒体、特にガス又は空気を供給するために加圧ガスサプライ２１４を好ましくは含む。
【０１４６】
加圧ガスサプライ２１４は、分析デバイス２００又はハウジング２１２内に好ましくは組み込まれる、及び／又は制御装置２０７を用いて制御又はフィードバック制御することができる。
【０１４７】
好ましくは、加圧ガスサプライ２１４は電気的に作動されるか、又は電力によって作動させることができる。特に、加圧ガスサプライ２１４には、電源２１１を用いて電力を供給することができる。
【０１４８】
分析デバイス２００及び／又は加圧ガスサプライ２１４は、特に、それ自体をカートリッジ１００、及び／又は１又は複数の接続部１２９に空圧接続するための接続要素２１４Ａを好ましくは含む。
【０１４９】
図５は、閉鎖状態にある本提案の分析デバイス２００の斜視図である。分析デバイス２００又はハウジング２１２は、開放することができるハウジング部分２１２Ｂを好ましくは含む。
【０１５０】
図６は、開放状態にある、すなわち、ハウジング２１２又はハウジング部分２１２Ｂが開いている時の分析デバイスを通る概略断面図である。従って、分析デバイス２００又はハウジング２１２内の開口部２１３が開いている。この図では、カートリッジ１００は、分析デバイス２００内に部分的に挿入又は部分的に受け入れられている。
【０１５１】
図６に示すように、分析デバイス２００及び／又は加圧ガスサプライ２１４は、作動媒体、特にガス又は空気を圧縮、濃縮、及び／又は加圧するために圧縮機２１４Ｂを好ましくは含み、関連の加圧ガス貯留手段２１４Ｃを任意的に含む。
【０１５２】
分析デバイス２００は、特に、カートリッジ１００を締め付け方式で保持することができるように、及び／又は機械的、電気的、熱的、流体的、及び／又は空圧的に接続することができるようにカートリッジ１００を受け入れる、位置決めする、及び／又は保持するように設計される。
【０１５３】
分析デバイス２００は、特に、カートリッジ１００を受け入れる、位置決めする、及び／又は保持するのに使用される受け入れユニット２３０、特に、カートリッジ１００を機械的、電気的、熱的、及び／又は流体的に接続するのに使用される接続ユニット２３１、１又は２以上のバルブ１１５Ａを起動又は強制するためのアクチュエータユニット２３２、及び／又は特に受け入れユニット２３０及び／又はアクチュエータユニット２３２を移動又は起動するための駆動装置２３３を好ましくは含む。
【０１５４】
分析デバイス２００は、カートリッジ１００を保持する、装着する、位置決めする、及び／又は締め付けるための空圧作動式装置を好ましくは含む。この場合に、装置は、特に、受け入れユニット２３０、接続ユニット２３１、駆動装置２３３により、かつ任意的にアクチュエータユニット２３２によって形成される。
【０１５５】
分析デバイス２００及び／又は駆動装置２３３は、特に、空圧シリンダ及び／又は歯車機構２３３Ｂのような空圧作動式ドライブ２３３Ａを好ましくは含む。好ましくは、駆動装置２３３又は歯車機構２３３Ｂは、空圧的に作動、起動、及び／又は駆動される。
【０１５６】
図示の例では、歯車機構２３３Ｂは、減速歯車機構及び／又は可変減速比を有する歯車機構として好ましくは設計され、トグルレバー機構として特に好ましくは設計される。特に、ドライブ２３３Ａは、方向Ｂ１の駆動移動を方向Ｂ２の従動移動又はアクチュエータ移動に変換するために、図６に示すようにトグルリンク又は継手２３３Ｃに対して作用する。しかし、他の構造的ソリューションも可能である。
【０１５７】
駆動移動の方向Ｂ１は、アクチュエータ移動の方向Ｂ２及び／又は開放方向Ｂ４に対して横方向又は少なくとも実質的に垂直に、及び／又は受け入れ方向Ｂ３に対して少なくとも実質的に平行であるが好ましくは反対方向に好ましくは延びる。
【０１５８】
歯車機構２３３Ｂは、好ましくは、接続ユニット２３１に向けた受け入れユニット２３０及び／又はアクチュエータユニット２３２の移動中に減速比が増大するように設計される。これは、特に、方向Ｂ１及び／又は方向Ｂ２の移動中にアクチュエータ移動の方向Ｂ２をもたらす力と駆動移動の方向Ｂ１に印加される力との比が増大することを意味する。
【０１５９】
特に、歯車機構２３３Ｂ又はトグルレバー機構は、好ましくは、接続ユニット２３１に向けて、特にアクチュエータ移動の方向Ｂ２に、受け入れユニット２３０及び／又はアクチュエータユニット２３２の移動中に受け入れユニット２３０及び／又はアクチュエータユニット２３２に対して作用される力を増加させるように設計される。特に、受け入れユニット２３０及び／又はアクチュエータユニット２３２に対して作用される力は、受け入れユニット２３０及び／又はアクチュエータユニット２３２が接続ユニット２３１に近づく又は接近する時に増大する。
【０１６０】
言い換えれば、移動の最後にアクチュエータ移動の方向Ｂ２に得られる力、及び／又は受け入れユニット２３０及び／又はアクチュエータユニット２３２に対して作用される力は、移動の開始時の力よりも好ましくは高く、特に、歯車機構及び／又はトグルリンク又は継手２３３Ｃに好ましくは駆動移動の方向Ｂ１に印加される力は、少なくとも一定に保たれる。しかし、方向Ｂ２の得られる力は、駆動移動の方向Ｂ１に印加された力が移動中に又は移動の最後に低減される又は低減することができる時に、基本的に一定に保たれることも可能である。
【０１６１】
図６に示すように、分析デバイス２００は、受け入れユニット２３０及び／又はアクチュエータユニット２３２を移動可能及び／又は摺動可能に案内するための案内装置２３４を好ましくは含む。特に、案内装置２３４は、接続ユニット２３０及び／又はアクチュエータユニット２３２をこれらの接続ユニット及び／又はアクチュエータユニットが接続ユニット２３１に対して及び／又は方向Ｂ２又は反対方向に移動及び／又は摺動することができるように保持又は案内する。
【０１６２】
図６では、方向Ｂ２のアクチュエータ移動は、接続ユニット２３１に向う移動、すなわち、閉鎖移動又は前進移動である。
【０１６３】
図６に記載の図では、受け入れユニット２３０が接続ユニット２３１から離された状態にある。この位置は、カートリッジ１００を受け入れて、次に、放出するか又は取り出すことができる受け入れ位置を構成する。図６では、カートリッジ１００は、部分的に受け入れられているか又は摺動されて移送位置にある。
【０１６４】
受け入れユニット２３０がカートリッジ１００全体を受け入れて、一緒に接続ユニット２３１に向けて移動された後、すなわち、前進又は閉鎖が発生した時に、カートリッジ１００は、接続ユニット２３１に接するように配置されるか又は当接する。以下では、この位置を受け入れユニット２３０及びカートリッジ１００の検査位置とも呼ぶ。
【０１６５】
受け入れユニット２３０は、少なくとも１つのバネ２３５を好ましくは用いて受け入れ位置に好ましくは付勢又は予張力印加される。
【０１６６】
図６に示すように、アクチュエータユニット２３２は、特に固定起動要素又は起動ピンの形態にある１又は２以上のアクチュエータ２０５Ａを好ましくは含む。以下では、図示のアクチュエータユニット２３２の離れた位置又は起動停止位置を初期位置とも呼ぶ。
【０１６７】
アクチュエータユニット２３２は、少なくとも１つのバネ２３６を好ましくは用いて初期位置に好ましくは付勢又は予張力印加される。
【０１６８】
アクチュエータユニット２３２は、駆動装置２３３を用いて初期位置から接続ユニット２３１及び／又は受け入れユニット２３０（に対して又は）に向けて及び／又は方向Ｂ２に移動することができる。
【０１６９】
案内装置２３４は、アクチュエータユニット及び／又は受け入れユニットが、特にアクチュエータ移動の方向Ｂ２又はその反対方向に特に直線的に移動することができるようにアクチュエータユニット２３２及び／又は受け入れユニット２３０を保持又は案内するために、この場合は案内ロッドである少なくとも１つの案内要素２３４Ａを好ましくは含む。
【０１７０】
案内要素２３４Ａは、一端で接続ユニット２３１上に好ましくは支持又は装着され、及び／又は他端で分析デバイス２００の支台又はラック２３７又は止め具２３７Ａの上に保持又は装着される。
【０１７１】
分析デバイス２００又は受け入れユニット２３０は、カートリッジ１００が受け入れユニット２３０に好ましくは垂直方向又は受け入れ方向Ｂ３に又は受け入れ移動で進入することができるように、及び／又はこのカートリッジをこのユニットから反対方向に及び／又はその上に向けて放出するか又は移動することができるように持ち上げ装置を好ましくは含む。
【０１７２】
受け入れ方向Ｂ３は、アクチュエータ移動又は前進移動の方向Ｂ２に対して横方向及び／又は垂直に好ましくは延びる。
【０１７３】
図６は、移送位置にあるカートリッジ１００を示している。この移送位置では、まだ使用されていないカートリッジ１００が分析デバイス２００内に手動で挿入又は移送される。
【０１７４】
受け入れ方向Ｂ３の移動に示すように、移送位置から、カートリッジ１００は、それが低い位置にある及び／又はその全体が受け入れユニット２３０内に受け入れられる位置に持ち上げ装置２３８を用いて下降及び／又は移動される。
【０１７５】
図７は、カートリッジが完全に受け入れられている位置にあり、アクチュエータユニット２３２が（依然として）初期位置にあり、受け入れユニット２３０が（依然として）受け入れ位置にあり、分析デバイス２００、ハウジング２１２、又はハウジング部分２１２Ｂが（既に）閉鎖されている場合のカートリッジ１００を通る図６に記載の断面に対応する概略断面図である。
【０１７６】
図示の例では、分析デバイス２００又はその中にある（外側又はハウジング側の）開口部２１３を閉じるために、ハウジング部分２１２Ｂが、開放方向Ｂ４と反対の方向に移動されるか又は閉鎖される。
【０１７７】
開放方向Ｂ４は、水平に及び／又はアクチュエータ移動又は前進移動の方向Ｂ２と平行に好ましくは延びる。
【０１７８】
開放方向Ｂ４は、受け入れ方向Ｂ３に対して横方向及び／又は垂直に延びる。
【０１７９】
カートリッジ１００がこのようにして受け入れられ、又は運び入れられ、分析デバイス２００のハウジング２１２又は分析デバイス２００内の開口部２１３が好ましくは閉鎖されると、第１の段階又は移動期間において、特に、接続ユニット２３１とカートリッジ１００とが望ましい方式で接続される及び／又は望ましい方式で当接状態になるまで、カートリッジ１００が望ましい方式で接続ユニット２３１上に又はそれに接するように配置されるまで、及び／又はカートリッジ１００が接続ユニット２３１と受け入れユニット２３０の間に望ましい方式で締め付けられるまで、すなわち、受け入れユニット２３０が、従って、同じくカートリッジ１００が検査位置に到達するまで、カートリッジ１００又はそれを含む受け入れユニット２３０が好ましくは接続ユニット２３１に向けて移動される。この状態を図６及び図７に記載の断面図に対応する図８に記載の概略断面図に示している。
【０１８０】
上述のように、受け入れユニット２３０、接続ユニット２３１、及び／又はアクチュエータユニット２３２は、互いに対して及び／又はアクチュエータ移動の方向Ｂ２に沿って（前後に）好ましくは移動することができる。特に、受け入れユニット２３０及び／又はアクチュエータユニット２３２は、以下でより詳細に説明するように、接続ユニット２３１の方向に及び／又はそれに対して移動することができる。
【０１８１】
図示の例では、接続ユニット２３１は、好ましくは固定、不動、及び／又は据え付けのものであり、特に単純な構造を可能にする。しかし、接続ユニット２３１を例えば受け入れユニット２３０と同様又はその代わりに移動可能であるように設計することができる。
【０１８２】
図８に示す状態では、アクチュエータユニット２３２は、受け入れユニット２３０に対して好ましくはまだ移動されておらず、接続ユニット２３１に対して好ましくは既に移動されている。アクチュエータユニット２３２のこの位置を中間位置とも呼ぶ。
【０１８３】
好ましくは、受け入れユニット２３０又はカートリッジ１００が検査位置に移送又は移動されている時及び／又は好ましくはその直後にカートリッジ１００の少なくとも１つのバルブ１１５Ａが自動方式及び／又は強制方式で作動及び／又は開かれる。特に好ましくは、検査に向けて原理的に作動及び／又は開放させなければならないバルブ１１５Ａ、及び／又は特に高い起動力を必要とするバルブ１１５Ａのうちの複数のもの又は全てが強制方式で起動又は開かれる。これらのバルブは、特にアクチュエータユニット２３２を用いて起動される。
【０１８４】
第２の段階又は移動期間において又は検査位置に到達した直後に、アクチュエータユニット２３２は、それがそのアクチュエータ２０５Ａを用いてカートリッジ１００の対応するバルブ１１５Ａを起動する、特に好ましくは強制する図９に示す起動位置を最終的に取るように受け入れユニット２３０に対して又はその中に好ましくは移動される。
【０１８５】
受け入れユニット２３０と接続ユニット２３１の間に配置された又はその間で作用するバネ２３５を第１のバネ又は弱いバネとも呼ぶ。
【０１８６】
特に、第１のバネ２３５の一端は受け入れユニット２３０上で支持され、又はそれに結合され、このバネの他端は、接続ユニット２３１上で支持されるか又はそれに結合される。
【０１８７】
アクチュエータユニット２３２と受け入れユニット２３０の間に配置された又はその間で作用するバネ２３６を第２のバネ又は強いバネとも呼ぶ。特に、第２のバネ２３６の一端はアクチュエータユニット２３２上で支持され、又はそれに結合され、このバネの他端は、受け入れユニット２３０上で支持されるか又はそれに結合される。
【０１８８】
バネ２３５、２３６は予張力印加状態で好ましくは設けられ、従って、初期位置への戻り移動、すなわち、受け入れユニット２３０が受け入れ位置に戻る及び／又はアクチュエータユニット２３２が初期位置に戻る時の移動が特に常に確実及び／又は自動であることを確実にすることができる。
【０１８９】
第１のバネ２３５は、第２のバネ２３６よりも弱いように好ましくは設計及び／又は予張力印加され、従って、方向Ｂ２の前進移動中に、受け入れユニット２３０は（カートリッジ１００と共に）、常に最初に（第１の段階で）受け入れ位置（図７）から検査位置（図８）に移動され、又は接続ユニット２３１に向けて移動され、それと共にこの移動中にアクチュエータユニット２３２も予め移動されるが、受け入れユニット２３０に対してではなく、接続ユニット２３１のみに対して移動される。その後に、検査位置に到達した時に初めて、最終的にアクチュエータユニット２３２を図８に示す中間位置から図９に示す起動位置に移動するために、アクチュエータユニット２３２は、受け入れユニット２３０及び／又はカートリッジ１００に対して移動され（第２の段階で）、特にこれらに近づけられる。
【０１９０】
第１の移動又は第１の段階の目的は、特に、カートリッジ１００を締め付け方式で受け入れる、配置する、強固に装着する、及び／又は接続することである。
【０１９１】
第２の移動又は第２の段階の目的は、特に好ましくはカートリッジ１００のバルブ１１５Ａを特に起動又は開放することである。しかし、これに代えて又はこれに加えて、アクチュエータユニット２３２は、他の起動目的又は起動形態に向けて使用することができ、及び／又はカートリッジ１００を更に別の手法又は他の手法で接続するために使用することができる。
【０１９２】
図９に示す状態において、次に、サンプルＰが検査される。この状態では、カートリッジ１００は、分析デバイス２００に必要な方式で接続されるか、又は分析デバイス２００がカートリッジ１００に同じく接続される。しかし、原理的には、検査は、例えば、バルブ１１５Ａを起動する必要がない場合、これらのバルブを任意的にのみ起動する必要がある場合、又はこれらのバルブを（更に別の）検査シーケンスで起動する必要しかない場合に、特に図８に示す早めの状態で開始することができる。
【０１９３】
バネ２３５及び２３６は、螺旋バネ又はコイルバネとして好ましくは設計される。
【０１９４】
バネ２３５と２３６とは、好ましくは異なるバネ硬度又はバネ剛性のものである。特に、第２のバネ２３６は第１のバネ２３５よりも硬いか又は剛性である。
【０１９５】
バネ２３５及び２３６は、好ましくは、案内装置２３４に関連付けられる及び／又は案内要素２３４Ａを好ましくは取り囲む。
【０１９６】
特に、２つのバネ２３５、２３６は、アクチュエータ移動又は前進移動の方向Ｂ２に関して及び／又は案内要素２３４Ａに関して同軸配置される及び／又はこれらのバネの軸がこの移動方向Ｂ２及び／又はこの案内要素２３４Ａと平行であるように向けられる。
【０１９７】
図示の例では、アクチュエータ移動は、受け入れユニット２３０及び／又はアクチュエータユニット２３２を接続ユニット２３１に向けて移動する前進移動に対して好ましくは少なくとも実質的に平行であり、特に両方の移動が方向Ｂ２にあることに注意されたい。しかし、原理的には、これらの移動方向は、互いに斜めに延びることができる。
【０１９８】
駆動装置２３３は、直接的又は間接的のいずれでも受け入れユニット２３０に対して好ましくは作用する。
【０１９９】
図示の例では、駆動装置２３３は、特に、方向Ｂ２の望ましい前進移動又は接続ユニット２３１に対する移動をもたらすために特にアクチュエータユニット２３２に係合し、このアクチュエータユニット又はバネ結合によって受け入れユニット２３０に対して作用するので、受け入れユニット２３０に対して間接的にのみ好ましくは作用する。
【０２００】
上述のように、アクチュエータユニット２３２は、カートリッジ１００を接続ユニット２３１上に位置決めする、配置する、又は締め付けるために、及び／又はカートリッジ１００の１又は２以上のバルブ１１５Ａを起動するか又は開放するために受け入れユニット２３０を接続ユニット２３１に対して移動するために使用される。
【０２０１】
好ましくは、特に、カートリッジ１００を接続ユニット２３１に向けて移動するために、及び特に１又は２以上のバルブ１１５Ａを開放するためにも、アクチュエータユニット２３２及び受け入れユニット２３０を第１の移動期間又は段階で一緒に移動することができ、第２の移動期間又は段階で互いに対して移動方向Ｂ２に移動することができる。
【０２０２】
アクチュエータユニット２３２は、バネ力に反して又は対抗して、この場合はバネ２３５、２３６に反して又は対抗して受け入れユニット２３０及び／又は接続ユニット２３１に向けて好ましくは移動することができる。
【０２０３】
好ましくは、受け入れユニット２３０及びアクチュエータユニット２３２を移動又は摺動させるために１つだけの又は共通駆動装置２３３が設けられる。それによって特に単純で小型及び／又は堅固な構成が可能になる。
【０２０４】
特に好ましくは、アクチュエータユニット２３２及び受け入れユニット２３０は、結合移動を実施し、すなわち、この場合はバネ２３５及び２３６を用いて運動結合される。
【０２０５】
しかし、例えば、歯車、レバー、又はスロット接続などを使用するいずれかの他のタイプの結合を使用するか又は実施することができる。
【０２０６】
駆動装置２３３は、バネ力に反するか又は対抗する１つの方向、この場合は閉鎖方向Ｂ２に好ましくは作動する。特にバネ力だけによって初期位置への反対の移動又は戻り移動を実施することができる。それによって例えば単一作用シリンダをドライブ２３３Ａとして使用することが可能になる。
【０２０７】
受け入れユニット２３０を接続ユニット２３１に向けて移動することを可能にするバネ力は、アクチュエータユニット２３２を受け入れユニット２３０に向けて移動することを可能にするバネ力よりも好ましくは小さい。従って、望ましい結合移動又は望ましい移動シーケンスは、特に好ましくはカートリッジ１００が接続ユニット２３１上に最初に配置され、それに接続され、及び／又はその上に締め付けられ、その後に初めてカートリッジ１００の１又は２以上のバルブ１１５Ａが起動されるか又は強制方式で開かれるような簡単な方式でもたらすことができる。
【０２０８】
しかし、結合移動又は２つの段階のシーケンスは、異なる構造を用いて、任意的に好ましい実施形態の場合にそうであるように１つだけの又は共通駆動装置２３３を用いて、又はこれに代えて様々な移動又は段階のための別個の駆動装置を用いて達成するか又は解決することができる。
【０２０９】
受け入れユニット２３０は、モータを用いて、特に空圧的に接続ユニット２３１に対して好ましくは移動することができる。
【０２１０】
アクチュエータユニット２３２は、モータを用いて、特に空圧的に接続ユニット２３１及び／又は受け入れユニット２３０に対して好ましくは移動することができる。
【０２１１】
カートリッジ１００上のバルブ１１５Ａは、起動位置でカートリッジ１００又はそのバルブ１１５Ａに対して作用するアクチュエータユニット２３２によってその上に好ましくは固定されたアクチュエータ２０５Ａを用いて特に機械方式で起動される。この点に関して、図示の例の場合にそうであるように、アクチュエータ２０５Ａは、バルブ１１５Ａがアクチュエータユニット２３２から遠いカートリッジ１００の平面上に配置される場合は任意的に本体１０１内の穴又は孔を通って係合することができる。
【０２１２】
分析デバイス２００又はハウジング２１２は、例えば、接続ユニット２３１、駆動装置２３３、及び案内装置２３４を内部に受け入れるか又は保持することを可能にするためのラック２３７を好ましくは含むか又は形成する。
【０２１３】
ラック２３７、案内装置２３４、又は駆動装置２３３は、前進移動Ｂ２と反対のアクチュエータユニット２３２及び／又は受け入れユニット２３０の逆方向移動を制限するための止め具２３７Ａを好ましくは形成する。
【０２１４】
図１０は、カートリッジ１００を含まない時の受け入れユニット２３０の斜視図であり、受け入れユニット２３０の背後に配置されたアクチュエータユニット２３２を示している。
【０２１５】
分析デバイス２００は、それ自体で、ハウジング２１２、又は開口部２１３を特にモータを用いて及び／又は空圧的に開放及び閉鎖するための開放装置２３９を好ましくは含む。この装置を図１０に示している。
【０２１６】
開放装置２３９は、ドライブ２３９Ａ、歯車機構２３９Ｂ、及び／又は好ましくはフレーム状の支持体２３９Ｃを好ましくは含む。特に、支持体２３９Ｃは、分析デバイス２００又はラック２３７又はその一部の上で直線的に移動可能、及び／又は開放方向Ｂ４又はそれと反対の方向に移動可能であるように装着及び／又は案内される。支持体２３９Ｃは、開放することができるハウジング部分２１２Ｂを好ましくは支持する。
【０２１７】
開放装置２３９を用いて、特に、開放方向Ｂ４に開放するために及び反対方向に閉じるために、ハウジング部分２１２を好ましくは直線的に移動することができる。
【０２１８】
歯車機構２３９Ｂは、好ましくは、トグルレバー機構である。しかし、他の技術的ソリューションも可能である。
【０２１９】
受け入れユニット２３０は、特にアクチュエータユニット２３２も、それぞれ前進方向Ｂ２に移動可能であるか又は離れた位置に反対方向に移動可能であるように案内装置２３４を用いて両側又は対向両側で好ましくは保持及び／又は案内される。この移動可能案内のための配置は、両側で好ましくは同じであり、従って、以下では一方の側だけでの配置をより詳細に説明する。
【０２２０】
受け入れユニット２３０は、案内装置２３４又はその案内要素２３４Ａ上で移動可能に支持されるための軸受部分２３０Ａを好ましくは含む。特に、軸受部分２３０Ａは、案内要素２３４Ａを中に通して案内する軸受突出部又は軸受スリーブを形成又は保持する。しかし、他の構造的ソリューションも可能である。
【０２２１】
アクチュエータユニット２３２は、案内装置２３４又はその案内要素２３４Ａ上で移動可能に支持されるための軸受部分２３２Ａを好ましくは含む。特に、軸受部分２３２Ａは、案内要素２３４Ａを中に通して案内する軸受突出部又は軸受スリーブを形成又は保持する。しかし、他の構造的ソリューションも可能である。
【０２２２】
（第１の）バネ２３５の一端は、軸受部分２３０Ａ又はそれによって形成された止め具上で好ましくは支持又は装着され、このバネの他端は、接続ユニット２３１、特にその軸受部分２３１Ａ上で支持又は装着される。
【０２２３】
バネ２３５は、部分的に軸受部分２３０Ａ及び／又は２３１Ａ内に好ましくは受け入れられる及び／又はこの軸受部分及び／又は案内要素２３４Ａを用いて半径方向に案内される。
【０２２４】
（第２の）バネ２３６の一端は、軸受部分２３０Ａ又はそれによって形成された止め具上で好ましくは支持又は装着され、このバネの他端は、アクチュエータユニット２３２の軸受部分２３２Ａ上で支持又は装着される。
【０２２５】
バネ２３６は、部分的に軸受部分２３０Ａ及び／又は２３２Ａ内に好ましくは受け入れられる及び／又はこの軸受部分及び／又は案内要素２３４Ａを用いて半径方向に案内される。
【０２２６】
案内要素２３４Ａは、バネ２３５及び／又は２３６を通って好ましくは延びる。
【０２２７】
受け入れユニット２３０及び持ち上げ装置２３８は、この場合に、好ましくは垂直に向けられたカートリッジ１００の両側にある幅狭側部の領域内に好ましくは配置され、一方の側にある受け入れユニット２３０又は持ち上げ装置２３８は、それぞれ他方の側にある対応するユニット又は装置と少なくとも実質的に等しい。従って、以下の説明は主として一方の側だけに関連する。
【０２２８】
カートリッジ１００は、受け入れユニット２３０及び／又は持ち上げ装置２３８によって側部及び／又は対向側部、特に幅狭側部においてのみ好ましくは保持される。
【０２２９】
受け入れユニット２３０及び／又は持ち上げ装置２３８は、図１０に示すように、横方向の特に溝状のガイド２３８Ａ及び／又は保持要素２３８Ｂを好ましくは含む。
【０２３０】
ガイド２３８Ａは、特に、カートリッジ１００を縁部領域１２１内に受け入れるように設計される。
【０２３１】
持ち上げ装置２３８は、特に、カートリッジ１００が手動で摺動された及び／又は部分的に受け入れられた後に、次に、このカートリッジ１００が移送位置（図６に示す）から下降される及び／又は完全に運び入れられる、すなわち、このカートリッジ１００が持ち上げ装置２３８及び／又は受け入れユニット２３０によって完全に受け入れられるように設計される。カートリッジ１００は、右手側及び左手側又は両側に好ましくは配置されて対応する方式でこの場合は下方向に移動する保持要素２３８Ｂによって上述の方式で受け入れる及び／又は下降される。図１０は、保持要素２３８Ｂの下降位置又は低位置を示している。次に、この位置で、カートリッジ１００全体がガイド２３８Ａ内に又は受け入れユニット２３０によって受け入れられ、従って、このカートリッジ１００は、上方にガイド２３８Ａ又は受け入れユニット２３０を超えて突出することはもはやない。この下降位置を図７に示している。
【０２３２】
持ち上げ装置２３８及び特にその保持要素２３８Ｂは、カートリッジ１００に背後から係合する及び／又はこのカートリッジを下から支持する。しかし、他の構造的ソリューションも可能である。
【０２３３】
持ち上げ装置２３８は、モータを用いて好ましくは駆動され、特に電気的又は空圧的な方式で作動する。
【０２３４】
保持要素２３８Ｂは、例えば、親ネジ、チェーン、又は駆動ベルトなどによって駆動することができる。
【０２３５】
カートリッジ１００の面１００Ａ又はカバー１０２は、受け入れユニット２３０に好ましくは向く。
【０２３６】
特に、受け入れユニット２３０は、検査位置でカートリッジ１００を可能な限り一様な方式で及び／又は可能な限り大きい面積にわたって支持するために、及び／又はこのカートリッジを接続ユニット２３１と当接するように保持及び／又は締め付けるために少なくとも実質的に平面、平坦、及び／又は連続的であるカートリッジ１００の接触面、特にその前面１００Ａ又はカバー１０２を有する。
【０２３７】
受け入れユニット２３０は、プリント回路基板２２１を好ましくは含むか又は保持する。プリント回路基板２２１は、受け入れ面及び／又は平面上にカートリッジ１００に対する接触面及び／又は支持面を好ましくは形成する。
【０２３８】
プリント回路基板２２１は、受け入れユニット２３０に好ましくは、強固に接続又は固定される。
【０２３９】
受け入れユニット２３０及び／又はプリント回路基板２２１は、図９に示す起動位置でバルブ１１５Ａの望ましい起動又は開放を可能にするためにアクチュエータ２０５Ａ又はアクチュエータユニット２３２がカートリッジ１００に対して作用することを可能にする陥凹２２１Ａを好ましくは含む。
【０２４０】
本発明の意味では、プリント回路基板（ＰＣＢ）は、好ましくは電子構成要素に対する支持体又はマウントであり、その目的は、特にこれらの電子構成要素を機械的に装着する及び／又は電気的に接続することである。一般的に、プリント回路基板は、その上に導電経路又は導電軌道が配置された電気絶縁材料から構成される平坦な平面要素を含む。特に、電子構成要素は、例えば、半田付けによってプリント回路基板に取り付けることができ、及び／又はこれらの構成要素は、導電経路を用いて互いに電気接続することができる。
【０２４１】
図示の例では、アクチュエータユニット２３２は、カートリッジ１００の関連のバルブ１１５Ａを起動位置で好ましくは強制方式で起動又は開放する複数の固定アクチュエータ２０５Ａ、特にアクチュエータ２０５Ａの２つの群（図１０の右手側及び中央）を好ましくは含む。これらのアクチュエータ２０５Ａ及び／又はバルブ１１５Ａは、特に、貯留キャビティ１０８を開放するためにこれらのキャビティに割り当てられる。
【０２４２】
駆動装置２３３を用いて大きい開放力を達成することができ、従って、特に密封方式で閉じ、高レベルの密封性を保証し、従って、高い貯留安定性を同じく確実にするバルブ１１５Ａを使用し、最初に開放状態にすることができる。
【０２４３】
アクチュエータユニット２３２又は受け入れユニット２３０は、接続ユニット２３１に対する受け入れユニット２３０の移動とは独立に、受け入れユニット２３０に向うアクチュエータユニット２３２の移動とは独立に、及び／又は互いに独立に起動することができるアクチュエータ２０５Ａを好ましくは含み、図１０にはこれらのアクチュエータをプリント回路基板２２１の左手側に３つの隣接ピン対の形態に示しており、これらのアクチュエータは、特に、受け入れキャビティ１０４に割り当てられたバルブ１１５Ａ又は必要に応じて他のバルブを開放するのに使用される。これらのアクチュエータ２０５Ａは、個々の起動に向けて別個のドライブ（図示せず）を含む。従って、入口１０４Ｂ、出口１０４Ｃ、及び中間接続部１０４Ｄを必要に応じて個々の単位で開放することができる。
【０２４４】
受け入れユニット２３０又はプリント回路基板２２１は、１又は２以上の温度制御装置２０４、特に上記又はあるタイプの反応温度制御装置２０４Ａ及び／又は中間温度制御装置２０４Ｂを好ましくは含む保持するか又は支持する。
【０２４５】
特に、温度制御装置２０４は、一般的に、電気的に作動されるペルチェ素子である。
【０２４６】
温度制御装置２０４の熱接触面は、特に、カートリッジ１００又は接続ユニット２３１に対面するプリント回路基板２２１の少なくとも実質的に接触面の平面内又は平坦側面上である。
【０２４７】
受け入れユニット２３０又はプリント回路基板２２１は、特に、カートリッジ１００が受け入れられた時に割り当てられたセンサ部分１１６内でカートリッジ１００内の流体の流れ前面を検出することができるように、流体センサ２０６Ａを好ましくは含むか又は支持する。
【０２４８】
特に、プリント回路基板２２１は、図１０では見ることができない側にプリント回路基板２２１上に配置された温度制御装置２０４を制御するのに必要とされる電気構成要素、及び／又は流体検出及び／又は流れ前面検出に必要とされる流体センサ２０６の電気構成要素の全てを好ましくは有する。
【０２４９】
図１１は、接続ユニット２３１の斜視図である。
【０２５０】
接続ユニット２３１は、特に、検査位置にあるカートリッジ１００に対する当接面又は接触面を形成する。特に、接続ユニット２３１は、この目的のために、検査位置にあるカートリッジ１００を好ましくは、その裏面１００Ｂ上で支持する対応する接触面又は支持領域２３１Ｂを含む。
【０２５１】
カートリッジ１００は、検査位置で定められた方式で好ましくは配置される。この配置は、特に、受け入れユニット２３０及び／又は接続ユニット２３１との対応する係合によって達成することができる。
【０２５２】
図示の例では、接続ユニット２３１は、検査位置で関連の位置決め部分１２６を受け入れ、それによってカートリッジ１００をその主平面Ｈ内で配置するために特に陥凹又は凹部として設計された少なくとも１つの係合部分２３１Ｃを好ましくは含む。
【０２５３】
特に好ましくは、検査位置でカートリッジ１００の２つの位置決め部分１２６と相互作用する、特に２つの位置決め部分１２６内に係合する２つの係合部分２３１Ｃが接続ユニット２３１上に形成される。
【０２５４】
特に好ましくは、一方の係合部分２３１Ｃ、この場合は下側の係合部分２３１Ｃは長楕円形孔の形態にあり、それに対して他方、この場合は上側の係合部分２３１Ｃは円形孔の形態にある。それにより、２つの位置決め部分１２６の間で作用し、カートリッジ１００が接続ユニット２３１に対して押圧されることになる結果を招く可能性がある力が存在することなく最適な配置が可能になる。
【０２５５】
接続ユニット２３１は、特に、案内要素２３４Ａを受け入れる又は担持するために、及び／又は（第１の）バネ２３５を案内、支持、又は装着するために案内装置２３４に対する横軸受部分２３１Ａを好ましくは含む。
【０２５６】
特に好ましくは、接続ユニット２３１の２つの対向する側には、両側に配置された案内装置２３４に対する上述のタイプの軸受部分２３１Ａが設けられる。
【０２５７】
接続ユニット２３１は、好ましくは、１又は２以上の温度制御装置２０４、この場合は特に反応温度制御装置２０４Ａ及び／又はセンサ温度制御装置２０４Ｃを保持するか又は含む。
【０２５８】
接続ユニット２３１の反応温度制御装置２０４Ａは、受け入れユニット２３０の反応温度制御装置２０４Ａに好ましくは対向し、従って、これらの温度制御装置２０４Ａが１又は複数の反応キャビティ１０９の領域内で反対側からカートリッジ１００に接するように配置されるか又は当接するように、カートリッジ１００、及び／又は１又は２以上の反応キャビティ１０９は、これら２つの温度制御装置２０４Ａの間に受け入れ、配置及び／又は締め付けられる。それにより、１又は複数の反応キャビティ１０９を最適な方式で温度制御することが可能になる。温度制御装置２０４Ａが有効及び／又は確実な方式で及び／又はカートリッジ１００の全面にわたってカートリッジ１００に接するように配置されることを保証し、それによって良好な熱結合も確実になるように、２つの温度制御装置２０４Ａの一方は好ましくは浮動装着される及び／又は弾力的に初期荷重印加される。
【０２５９】
特に、接続ユニット２３１の温度制御装置２０４Ａがカートリッジ１００の陥凹、凹部、又は減幅壁厚領域１０１Ｅ内に係合するように、これらの装置はカートリッジ１００に向けて突出する。１又は複数の反応キャビティ１０９の領域内の本体１０１の壁厚の減幅は、改善された熱結合を可能にする点及び／又は温度制御装置２０４Ａと反応キャビティ１０９内の流体の間の熱抵抗を低減する点で有利である。
【０２６０】
反応キャビティ１０９も、主平面Ｈと垂直に非常に小さい断面を好ましくは有し、すなわち、これらのキャビティの断面は非常に浅く、これらのキャビティは、主平面Ｈの延びに対して少なくとも実質的に平行な面延長を有し、従って、主平面Ｈに対して垂直なこれらのキャビティの高さは低い。これは、反応キャビティ１０９内の流体と温度制御装置２０４Ａの間の良好な熱結合に寄与する。反応キャビティ１０９の好ましくは平坦な設計を図３に示している。
【０２６１】
図１１に示すセンサ温度制御装置２０４Ｃは、検査位置でカートリッジ１００がセンサ装置１１３及び／又は接点１１３Ｅの間にある中心領域１１３Ｈによってセンサ温度制御装置２０４Ｃに接するように配置されるか又は当接するように好ましくは配置される及び／又は好ましくは突出する。それにより、特に、熱がセンサ温度制御装置２０４Ｃからセンサ装置１１３を通ってセンサ区画及びその中にある流体へ又はその逆方向に伝達されるようにセンサ区画及びその中にある流体、並びに進行中の反応を望ましい方式で温度制御することができるような熱結合がもたらされる。
【０２６２】
接続装置２０３又はその接触要素２０３Ａは、センサ装置１１３又はその接点１１３Ｅに電気的に接続又は接触するために特に温度制御装置２０４Ｃの周りに配置される。
【０２６３】
接続ユニット２３１は、カートリッジ１００の割り当てられたバルブ１１５Ｂを起動するためのアクチュエータ２０５Ｂのうちの１つ、複数のもの、又は全てを好ましくは支持する。図６から図９は、この種のアクチュエータ２０５Ｂを示している。図１１からは、カートリッジ１００に対して必要に応じて作用することができる複数のアクチュエータ２０５Ｂが設けられていることを見ることができる。
【０２６４】
アクチュエータ２０５Ｂは、特に接続ユニット２３１の本体２３１Ｄ内に組み込まれる。図示の例では、本体２３１Ｄは、複数の板又は板形構成要素から好ましくは構成又は組み立てられる。
【０２６５】
接続ユニット２３１は、ポンプドライブ２０２を好ましくは支持又は保持する。特に、ポンプドライブ２０２もまた、図６から図９及び図１１に示すように本体２３１Ｄ内に組み込まれる。
【０２６６】
特に、ポンプドライブ２０２のモータ２０２Ａは、ポンプドライブ２０２のポンプヘッド２０２Ｂを駆動する。
【０２６７】
ポンプドライブ２０２及び／又はポンプヘッド２０２Ｂは、カートリッジ１００及び／又は受け入れユニット２３０に向き、従って、ポンプヘッド２０２Ｂは、検査位置でカートリッジ１００のポンプ装置１１２に対して望ましい方式で作用することができる。特に、ポンプヘッド２０２Ｂを回転させることによって流体（ガス又は液体）をポンプ装置１１２内に、従って、カートリッジ１００内に給送することができる。従って、ポンプドライブ２０２及び／又はポンプモータ２０２Ａを相応に作動させることによってポンプ給送が制御される。
【０２６８】
接続ユニット２３１は、加圧ガスサプライ２１４の少なくとも１つの接続要素２１４Ａ、この場合は２つの接続要素２１４Ａを同じく好ましくは含む。接続要素２１４Ａは、特に管方式で突出し、及び／又は検査位置でカートリッジ１００の関連の接続部１２９に流体接続される又は接続することができる。
【０２６９】
ポンプドライブ２０２又はそのポンプモータ２０２Ａ及び温度制御装置２０４は好ましくは電動のものであり、特に電源２１１によって電力が供給される及び／又は制御装置２０７によって制御される。
【０２７０】
制御装置２０７によって対応するバルブを起動して加圧ガスサプライ２１４から加圧ガス又は加圧空気を相応に供給することによって分析デバイス２００の複数の装置、例えば、駆動装置２３３、開放装置２３９、アクチュエータ２０５Ｂ、及び／又は接続要素２１４Ａを通して加圧作動媒体を供給するための手段が好ましくは制御及び／又は作動される。
【０２７１】
検査に続き、センサ装置１１３から測定結果が電気的に読み出され、分析デバイス２００又は外部デバイスのいずれにおいても処理される。
【０２７２】
検査に続き、使用されたカートリッジ１００が、好ましくは自動放出される。
【０２７３】
特に、最初に駆動装置２３３が起動位置から特に好ましくはバネ力によって取り出されるか又は戻される。しかし、駆動装置をこの位置からモータを用いて能動的に戻す及び／又は取り出すことができる。
【０２７４】
最初に、アクチュエータユニット２３２が方向Ｂ２と反対の方向に中間位置に好ましくは最初に再度離される。しかし、これに代えて、この段階は、受け入れユニット２３０が接続ユニット２３１から離され、特に受け入れ位置に到達した後の遅い段階で行うことができる。
【０２７５】
しかし、アクチュエータユニット２３２が中間位置を取った後に初めて受け入れユニット２３０が受け入れ位置に離されるか又は戻されるのが好適である。
【０２７６】
次に、分析デバイス２００又は開口部２１３が開く。この目的のために、ハウジング２１２Ｂが特に開放方向Ｂ４に移動される。
【０２７７】
次に、カートリッジ１００を取り出すことができる。特に、カートリッジ１００は移送位置に最初に放出されるか又は移動される。この段階は、特に持ち上げ装置２３８を用いて実施される。次に、分析デバイスは、図６に示す状態に入る。
【０２７８】
最後に、使用されたカートリッジ１００を移送位置から手動で取り出すことができ、新しいカートリッジ１００（新しいサンプルＰを含む）を更に別の検査段階に向けて装填することができる。
【０２７９】
新しいカートリッジ１００が挿入又は移送されると、分析デバイス２００は好ましくは自動的に閉じる。
【０２８０】
分析デバイス２００が開いた後に新しいカートリッジ１００が挿入されると、カートリッジ１００は、移送位置からそれが完全に受け入れられる位置に自動的に好ましくは移動される。この目的のために、分析デバイス２００は、カートリッジ１００が部分的に受け入れられた又は部分的に挿入されたか否かを検出するための検出手段を好ましくは含む。
【０２８１】
分析デバイス２００又は開口部２１３は、途中までしか押し込まれていないカートリッジ１００又は例えばオペレータの指のような物体が開口部２１３の領域に存在しない場合にのみ好ましくは自動方式で閉じる。従って、特に、分析デバイス２００は、この領域内に物体がある場合にデバイスが閉じるのが自動的に阻止又は防止されるように、開口部２１３の領域内の物体を検出するための検出手段を含む。
【０２８２】
安全の理由から、分析デバイス２００は、駆動装置２３３が起動される前、受け入れユニット２３０が検査位置に移動される前、及び／又はカートリッジ１００が装着、位置決め、及び／又は締め付けられる前に最初に好ましくは閉鎖される。
【０２８３】
本発明の個々の態様及び特徴、及び個々の方法段階及び／又は方法変形は、互いに独立に実施することができるが、あらゆる望ましい組合せ及び／又は順序を用いても実施することができる。
【０２８４】
参照符号のリスト
１００  カートリッジ
１００Ａ  前面
１００Ｂ  裏面
１０１  本体
１０１Ｅ  凹部
１０２  カバー
１０２Ａ  補助カバー
１０３  流体システム
１０４  受け入れキャビティ
１０４Ａ  接続部
１０４Ｂ  入口
１０４Ｃ  出口
１０４Ｄ  中間接続部
１０５  計量キャビティ
１０５Ａ  第１の計量キャビティ
１０５Ｂ  第２の計量キャビティ
１０６（Ａ〜Ｇ）  中間キャビティ
１０７  混合キャビティ
１０８（Ａ〜Ｅ）  貯留キャビティ
１０９  反応キャビティ
１０９Ａ  第１の反応キャビティ
１０９Ｂ  第２の反応キャビティ
１０９Ｃ  第３の反応キャビティ
１１０  中間温度制御キャビティ
１１１  回収キャビティ
１１２  ポンプ装置
１１３  センサ装置
１１３Ａ  センサアレイ
１１３Ｅ  接点
１１３Ｈ  中心領域
１１４  チャネル
１１４Ａ  バイパス
１１５  バルブ
１１５Ａ  初期閉鎖バルブ
１１５Ｂ  初期開放バルブ
１１６  センサ部分
１２１  縁部
１２２  補強リブ
１２３  把持部分
１２６  位置決め部分
１２９  接続部
１２９Ｃ  シール
１３０  閉鎖要素
２００  分析デバイス
２０１  容器
２０２  ポンプドライブ
２０２Ａ  モータ
２０２Ｂ  ポンプヘッド
２０３  接続装置
２０３Ａ  接触要素
２０４  温度制御装置
２０４Ａ  反応温度制御装置
２０４Ｂ  中間温度制御装置
２０４Ｃ  センサ温度制御装置
２０５  （バルブ）アクチュエータ
２０５Ａ  １１５Ａに対する（バルブ）アクチュエータ
２０５Ｂ  １１５Ｂに対する（バルブ）アクチュエータ
２０６  センサ
２０６Ａ  流体センサ
２０６Ｂ  他のセンサ
２０７  制御装置
２０８  入力装置
２０９  表示装置
２１０  インタフェース
２１１  電源
２１１Ａ  接続部
２１２  ハウジング
２１２Ａ  内部空間
２１２Ｂ  ハウジング部分
２１３  開口部
２１４  加圧ガスサプライ
２１４Ａ  接続要素
２１４Ｂ  圧縮機
２１４Ｃ  加圧ガス貯留手段
２２１  プリント回路基板
２２１Ａ  陥凹
２３０  受け入れユニット
２３０Ａ  軸受部分
２３１  接続ユニット
２３１Ａ  軸受部分
２３１Ｂ  支持領域
２３１Ｃ  係合部分
２３１Ｄ  本体
２３２  アクチュエータユニット
２３２Ａ  軸受部分
２３３  駆動装置
２３３Ａ  ドライブ
２３３Ｂ  歯車機構
２３３Ｃ  継手
２３４  案内装置
２３４Ａ  案内要素
２３５  第１のバネ
２３６  第２のバネ
２３７  ラック
２３７Ａ  止め具
２３８  持ち上げ装置
２３８Ａ  ガイド
２３８Ｂ  保持要素
２３９  開放装置
２３９Ａ  ドライブ
２３９Ｂ  歯車機構
２３９Ｃ  支持体
Ｂ１  駆動移動の方向
Ｂ２  アクチュエータ／前進移動の方向
Ｂ３  受け入れ方向
Ｂ４  開放方向
Ｆ（１〜５）  液体試薬
Ｐ  サンプル
Ｓ（１〜１０）  乾燥試薬
Ｈ  主平面
【符号の説明】
【０２８５】
１００  カートリッジ
２００  分析デバイス
２１２  ハウジング
２１４  加圧ガスサプライ
Ｂ３  受け入れ方向
【図１】
2019529940.tif 000003
【図２】
2019529940.tif 000004
【図３】
2019529940.tif 000005
【図４】
2019529940.tif 000006
【図５】
2019529940.tif 000007
【図６】
2019529940.tif 000008
【図７】
2019529940.tif 000009
【図８】
2019529940.tif 000010
【図９】
2019529940.tif 000011
【図１０】
2019529940.tif 000012
【図１１】
2019529940.tif 000013
【国際調査報告】
2019529940.tif 000014
2019529940.tif 000015
2019529940.tif 000016